(57)【要約】  本出願は、無線通信方法、端末デバイス、およびネットワークデバイスを提供し、これにより、端末デバイスがTATの実行ステータスに基づいてアップリンクデータをネットワークデバイスに非同期的に送信することができ、これにより、通信遅延を低減し、ユーザエクスペリエンスを改善する。本方法は、ネットワークデバイスがタイミングアドバンスタイマTAT構成情報を端末デバイスに送信し、TAT構成情報が、TATの持続時間を構成するために端末デバイスによって使用され、端末デバイスがネットワークデバイスによって送信されたTAT構成情報を受信し、端末デバイスがTAT構成情報に基づいてTATを構成し、TATの実行ステータスに基づいてアップリンクデータをネットワークデバイスに非同期的に送信し、ネットワークデバイスがTAT構成情報に基づいて端末デバイスによって送信されたアップリンクデータを受信することを含む。
2021533674.tif 000002
【特許請求の範囲】
【請求項１】
無線通信方法であって、前記方法は、端末デバイスによって実行され、
ネットワークデバイスによって送信されたタイミングアドバンスタイマTAT構成情報を受信するステップであって、前記TAT構成情報が、TATの持続時間を構成するために使用される、ステップと、
前記TAT構成情報に基づいて前記TATを構成するステップと、
前記TATの実行ステータスに基づいてアップリンクデータを非同期的に送信するステップと
を含む、無線通信方法。
【請求項２】
前記TAT構成情報が第1のTATを含み、前記第1のTATが、同期送信のためのアップリンクタイミングアドバンスの有効時間を制御するために使用される、請求項1に記載の方法。
【請求項３】
前記TATの実行ステータスに基づいてアップリンクデータを非同期的に送信する、前記ステップが、
前記第1のTATが切れたときに前記アップリンクデータを非同期的に送信するステップ
を含む、請求項2に記載の方法。
【請求項４】
前記TAT構成情報が、以下の情報、すなわち、
前記アップリンクデータを非同期的に送信するために使用されるリソース情報、前記アップリンクデータを非同期的に送信するために使用されるハイブリッド自動再送要求HARQプロセス情報、前記アップリンクデータを同期的に送信するために使用されるリソース情報、および前記アップリンクデータを同期的に送信するために使用されるHARQプロセス情報
のうちの1つまたは複数のタイプをさらに含む、請求項1から3のいずれか一項に記載の方法。
【請求項５】
前記TAT構成情報が第2のTATを含み、前記第2のTATが、非同期送信のためのアップリンクタイミングアドバンスの有効時間を制御するために使用される、請求項1に記載の方法。
【請求項６】
前記TATの実行ステータスに基づいてアップリンクデータを非同期的に送信する、前記ステップが、
前記第2のTATが実行されているときに前記アップリンクデータを非同期的に送信するステップ
を含む、請求項5に記載の方法。
【請求項７】
前記TAT構成情報が、以下の情報、すなわち、
前記アップリンクデータを非同期的に送信するために使用されるリソース情報、および前記アップリンクデータを非同期的に送信するために使用されるハイブリッド自動再送要求HARQプロセス情報
のうちの1つまたは複数のタイプをさらに含む、請求項5または6に記載の方法。
【請求項８】
前記TAT構成情報が第1のTATと第2のTATとを含み、前記第1のTATが、同期送信のためのアップリンクタイミングアドバンスの有効時間を制御するために使用され、前記第2のTATが、非同期送信のためのアップリンクタイミングアドバンスの有効時間を制御するために使用される、請求項1に記載の方法。
【請求項９】
前記TATの実行ステータスに基づいてアップリンクデータを非同期的に送信する、前記ステップが、
前記第1のTATが実行されておらず、前記第2のTATが実行されているときに前記アップリンクデータを非同期的に送信するステップ
を含む、請求項8に記載の方法。
【請求項１０】
前記TAT構成情報が、以下の情報、すなわち、
前記アップリンクデータを非同期的に送信するために使用されるリソース情報、前記アップリンクデータを非同期的に送信するために使用されるハイブリッド自動再送要求HARQプロセス情報、前記アップリンクデータを同期的に送信するために使用されるリソース情報、および前記アップリンクデータを同期的に送信するために使用されるHARQプロセス情報
のうちの1つまたは複数のタイプをさらに含む、請求項8または9に記載の方法。
【請求項１１】
前記方法は、
前記端末デバイスの最大TA差が第1の閾値以上かつ第2の閾値以下である場合、セカンダリセルが配置されているTAGのTATが切れたと判定し、前記アップリンクデータを前記セカンダリセルに非同期的に送信するステップであって、前記最大TA差が、前記端末のTAGのうちの任意の2つのTA間の最大差である、ステップ、または
前記端末デバイスの最大TA差が第3の閾値よりも大きい場合、セカンダリセルが配置されているTAGのTATが切れたと判定し、前記アップリンクデータを前記セカンダリセルに非同期的に送信するステップであって、前記最大TA差が、前記端末のTAGのうちの任意の2つのTA間の最大差である、ステップ
をさらに含む、請求項1から10のいずれか一項に記載の方法。
【請求項１２】
前記方法は、
前記端末デバイスがソースセルの代わりにターゲットセルを再選択した場合、前記端末上で実行されている前記第1のTATまたは前記第2のTATを停止するステップであって、前記第1のTATまたは前記第2のTATが前記ソースセルにおいて開始される、ステップ
をさらに含む、請求項1から11のいずれか一項に記載の方法。
【請求項１３】
前記方法は、
前記端末デバイスが前記ソースセルの代わりに前記ターゲットセルを再選択し、前記ソースセルと前記ターゲットセルとが同じTATグループに属する場合、前記ソースセルのTATを前記ターゲットセルにおいて使用することを判定するステップ
をさらに含む、請求項1から12のいずれか一項に記載の方法。
【請求項１４】
前記方法は、
前記第1のTATが切れたとき、または実行されていないときに前記アップリンクデータを非同期的に送信するステップであって、前記第1のTATが前記ソースセルにおいて開始される、ステップ、または
前記第2のTATが実行されているときに前記アップリンクデータを非同期的に送信するステップであって、前記第2のTATが前記ソースセルにおいて開始される、ステップ
をさらに含む、請求項13に記載の方法。
【請求項１５】
TAT構成情報を受信する、前記ステップが、
ブロードキャストメッセージを受信するステップであって、前記ブロードキャストメッセージが前記TAT構成情報を含み、前記TAT構成情報が第1のTATと第2のTATとを含む、ステップ
を含み、
前記方法が、
前記端末デバイスによって、前記端末デバイスの能力に基づいて、前記第1のTATまたは前記第2のTATを使用するためのタイミング持続時間を判定するステップ
をさらに含む、請求項1に記載の方法。
【請求項１６】
無線通信方法であって、前記方法は、ネットワークデバイスによって実行され、
タイミングアドバンスタイマTAT構成情報を端末デバイスに送信するステップであって、前記TAT構成情報が、TATの持続時間を構成するために前記端末デバイスによって使用される、ステップと、
前記TATの実行ステータスに基づいて前記端末デバイスによって送信されたアップリンクデータを受信するステップと
を含む、無線通信方法。
【請求項１７】
タイミングアドバンスタイマTAT構成情報を端末デバイスに送信する、前記ステップが、
システム情報ブロックSIB、無線リソース制御RRC再構成メッセージ、RRC接続確立メッセージ、RRC接続再確立メッセージ、接続再開メッセージ、接続解放メッセージ、接続中断メッセージなどで前記TAT構成情報を前記端末デバイスに送信するステップ
を含む、請求項16に記載の方法。
【請求項１８】
前記構成情報が、
第1のTATであって、前記第1のTATが、同期送信のためのアップリンクタイミングアドバンスの有効時間を制御するために使用される、第1のTAT、
第2のTATであって、前記第2のTATが、非同期送信のためのアップリンクタイミングアドバンスの有効時間を制御するために使用される、第2のTAT、または
第1のTATおよび第2のTATであって、前記第1のTATが、同期送信のためのアップリンクタイミングアドバンスの有効時間を制御するために使用され、前記第2のTATが、非同期送信のためのアップリンクタイミングアドバンスの有効時間を制御するために使用される、第1のTATおよび第2のTAT
をさらに含む、請求項16または17に記載の方法。
【請求項１９】
前記構成情報が、以下の情報、すなわち、
前記アップリンクデータを非同期的に送信するために使用されるリソース、前記アップリンクデータを非同期的に送信するために使用されるHARQプロセス情報、前記アップリンクデータを同期的に送信するために使用されるリソース、および前記アップリンクデータを同期的に送信するために使用されるHARQプロセス情報
のうちの1つまたは複数のタイプをさらに含む、請求項18に記載の方法。
【請求項２０】
請求項1から15のいずれか一項に記載の方法の前記ステップを実行するように構成されたユニットを備える、通信装置。
【請求項２１】
少なくとも1つのプロセッサとインターフェース回路とを備える通信装置であって、前記少なくとも1つのプロセッサが、請求項1から15のいずれか一項に記載の方法を実行するように構成される、通信装置。
【請求項２２】
請求項20または21に記載の装置を備える、端末デバイス。
【請求項２３】
プログラムを含む記憶媒体であって、前記プログラムがプロセッサによって実行されると、請求項1から15のいずれか一項に記載の方法が実行される、記憶媒体。
【請求項２４】
請求項16から19のいずれか一項に記載の方法の前記ステップを実行するように構成されたユニットを備える、通信装置。
【請求項２５】
少なくとも1つのプロセッサとインターフェース回路とを備える通信装置であって、前記少なくとも1つのプロセッサが、請求項16から19のいずれか一項に記載の方法を実行するように構成される、通信装置。
【請求項２６】
請求項24または25に記載の装置を備える、ネットワークデバイス。
【請求項２７】
プログラムを含む記憶媒体であって、前記プログラムがプロセッサによって実行されると、請求項16から19のいずれか一項に記載の方法が実行される、記憶媒体。
【発明の詳細な説明】
【技術分野】
【０００１】
本出願は、2018年8月9日に中国専利局に出願された「WIRELESS COMMUNICATION METHOD AND APPARATUS」と題する中国特許出願第201810904668．7号の優先権を主張するものであり、参照により、この出願の内容全体が本明細書に組み込まれる。
【０００２】
本出願は、通信分野に関し、より詳細には、無線通信方法および装置に関する。
【背景技術】
【０００３】
従来技術では、端末デバイスは、アップリンクデータをネットワークデバイスに同期的に送信する。端末デバイスは、タイミングアドバンスタイマ（timing advance timer、TAT）を使用することにより同期送信を通常実施する。具体的には、端末デバイスは、TATのタイミング範囲内でのみアップリンクデータをネットワークデバイスに同期的に送信することができ、端末デバイスは、TATが切れたときにアップリンクデータを送信することを停止する。端末デバイスがデータを送信する必要がある場合、端末デバイスは、タイミングアドバンス（TA）値を取得するためにランダムアクセスプロセスを開始する必要があり、それにより、比較的長い通信遅延がもたらされ、ユーザエクスペリエンスに影響する。
【発明の概要】
【０００４】
本出願は、無線通信方法および装置を提供し、これにより、端末デバイスがTAT構成情報に基づいてアップリンクデータをネットワークデバイスに非同期的に送信することができ、これにより、通信遅延を低減し、ユーザエクスペリエンスを改善する。
【課題を解決するための手段】
【０００５】
第1の態様によれば、無線通信方法が提供され、本方法は、端末デバイスによって実行され、ネットワークデバイスによって送信されたタイミングアドバンスタイマTAT構成情報を受信するステップであって、TAT構成情報が、TATの持続時間を構成するために使用される、ステップと、TAT構成情報に基づいてTATを構成するステップと、TATの実行ステータスに基づいてアップリンクデータを非同期的に送信するステップとを含む。
【０００６】
したがって、ネットワークデバイスは、TATの持続時間を構成するために使用されるTAT構成情報を端末デバイスに送信し、端末デバイスは、構成情報に基づいてTATを構成し、TATの実行ステータスに基づいてアップリンクデータを非同期的に送信し、これにより、端末デバイスは、非同期送信方式でアップリンクデータをネットワークデバイスに送信する。
【０００７】
第1の態様に関連して、第1の態様のいくつかの実装形態では、TAT構成情報が第1のTATを含み、第1のTATが、同期送信のためのアップリンクタイミングアドバンスの有効時間を制御するために使用される。
【０００８】
第1の態様に関連して、第1の態様のいくつかの実装形態では、TATの実行ステータスに基づいてアップリンクデータを非同期的に送信するステップが、第1のTATが切れたときにアップリンクデータを非同期的に送信するステップを含む。
【０００９】
第1の態様に関連して、第1の態様のいくつかの実装形態では、端末デバイスが、第1のTATが切れていないときにアップリンクデータを同期的に送信する。
【００１０】
この場合では、端末デバイスは、第1のTATが実行されているとき、もしくは換言すれば第1のTATが切れていないときに、アップリンクデータを同期的に送信する、または端末デバイスは、第1のTATが切れたときにアップリンクデータを非同期的に送信し、これにより、端末デバイスはアップリンクデータをネットワークデバイスに同期的に送信することができるだけでなく、非同期送信方式でアップリンクデータをネットワークデバイスに送信することができる。
【００１１】
第1の態様に関連して、第1の態様のいくつかの実装形態では、TAT構成メッセージが、システム情報ブロック（system information block、SIB）、RRC再構成メッセージ、RRC接続確立メッセージ、RRC接続再確立メッセージ、接続再開メッセージ、接続解放メッセージ、または接続中断メッセージなどのメッセージであり得る。
【００１２】
第1の態様に関連して、第1の態様のいくつかの実装形態では、TAT構成情報が、以下の情報、すなわち、
アップリンクデータを非同期的に送信するために使用されるリソース情報、アップリンクデータを非同期的に送信するために使用されるハイブリッド自動再送要求HARQプロセス情報、アップリンクデータを同期的に送信するために使用されるリソース情報、およびアップリンクデータを同期的に送信するために使用されるHARQプロセス情報
のうちの1つまたは複数のタイプをさらに含む。
【００１３】
第1の態様に関連して、第1の態様のいくつかの実装形態では、第1のTATが切れたときに、端末デバイスは、アップリンクデータを同期的に送信するために使用されるハイブリッド自動再送要求HARQプロセスにおけるデータおよびアップリンクデータを同期的に送信するために使用されるリソースをクリアし、初期送信または再送信のために非同期送信を有効にすることができる、または第1のTATが切れたときに、端末デバイスは、アップリンクデータを同期的に送信するために使用されるハイブリッド自動再送要求HARQプロセスにおけるデータをクリアせず、HARQにバッファリングされたデータを非同期的に送信することができる。
【００１４】
第1の態様に関連して、第1の態様のいくつかの実装形態では、第1のTATが切れたときに、端末デバイスは、第1のTATが切れたときに取得されたTA値を使用することによって、またはTA＝0を使用することによって、アップリンクデータを非同期的に送信することができる。
【００１５】
第1の態様に関連して、第1の態様のいくつかの実装形態では、TAT構成情報が第2のTATを含み、第2のTATが、非同期送信のためのアップリンクタイミングアドバンスの有効時間を制御するために使用される。
【００１６】
第1の態様に関連して、第1の態様のいくつかの実装形態では、TATの実行ステータスに基づいてアップリンクデータを非同期的に送信するステップが、
第2のTATが実行されているときにアップリンクデータを非同期的に送信するステップ
を含む。
【００１７】
この場合では、端末デバイスは、第2のTATが実行されているときにアップリンクデータを非同期的に送信し、これにより、端末デバイスは、非同期送信方式でアップリンクデータをネットワークデバイスに送信する。
【００１８】
第1の態様に関連して、第1の態様のいくつかの実装形態では、TAT構成情報が、以下の情報、すなわち、アップリンクデータを非同期的に送信するために使用されるリソース情報、およびアップリンクデータを非同期的に送信するために使用されるハイブリッド自動再送要求HARQプロセス情報のうちの1つまたは複数のタイプをさらに含む。
【００１９】
第1の態様に関連して、第1の態様のいくつかの実装形態では、第2のTATが切れたときに、端末デバイスは、アップリンクデータを送信することを停止し、アップリンクデータを非同期的に送信するために使用されるハイブリッド自動再送要求HARQプロセスにおけるデータおよびアップリンクデータを非同期的に送信するために使用されるリソースをクリアする。
【００２０】
第1の態様に関連して、第1の態様のいくつかの実装形態では、第2のTATが実行されているとき、端末デバイスは、TA＝0を使用することによりアップリンクデータを非同期的に送信することができる。
【００２１】
第1の態様に関連して、第1の態様のいくつかの実装形態では、TAT構成情報が第1のTATと第2のTATとを含み、第1のTATが、同期送信のためのアップリンクタイミングアドバンスの有効時間を制御するために使用され、第2のTATが、非同期送信のためのアップリンクタイミングアドバンスの有効時間を制御するために使用される。
【００２２】
第1の態様に関連して、第1の態様のいくつかの実装形態では、アップリンクデータが、第1のTATが実行されているときに同期的に送信される、またはアップリンクデータが、第1のTATが実行されておらず、第2のTATが実行されているときに非同期的に送信される、またはアップリンクデータの送信が、第1のTATも第2のTATも実行されていないときに停止される。
【００２３】
この場合では、端末デバイスは、第1のTATが実行されているとき、もしくは換言すれば第1のTATが切れていないときに、アップリンクデータを同期的に送信する、または端末デバイスは、第1のTATが実行されておらず、第2のTATが実行されているときにアップリンクデータを非同期的に送信し、これにより、端末デバイスはアップリンクデータをネットワークデバイスに同期的に送信することができるだけでなく、非同期送信方式でアップリンクデータをネットワークデバイスに送信することができる。
【００２４】
第1の態様に関連して、第1の態様のいくつかの実装形態では、TAT構成情報が、以下の情報、すなわち、
アップリンクデータを非同期的に送信するために使用されるリソース情報、アップリンクデータを非同期的に送信するために使用されるハイブリッド自動再送要求HARQプロセス情報、アップリンクデータを同期的に送信するために使用されるリソース情報、およびアップリンクデータを同期的に送信するために使用されるHARQプロセス情報
のうちの1つまたは複数のタイプをさらに含む。
【００２５】
場合により、第1のTATが切れたときに、端末デバイスはアップリンクデータを同期的に送信することを停止し、端末デバイスは、アップリンクデータを同期的に送信するために使用されるハイブリッド自動再送要求HARQプロセスにおけるデータおよびアップリンクデータを同期的に送信するために使用されるリソースをクリアし、初期送信または再送信のために非同期送信を有効にすることができる、または第1のTATが切れたときに、端末デバイスは、アップリンクデータを同期的に送信するために使用されるハイブリッド自動再送要求HARQプロセスにおけるデータをクリアせず、HARQにバッファリングされたデータを非同期的に送信することができる。
【００２６】
第1の態様に関連して、第1の態様のいくつかの実装形態では、本方法は、端末デバイスの最大TA差が第1の閾値以上かつ第2の閾値以下である場合、セカンダリセルが配置されているTAGのTATが切れたと判定し、アップリンクデータをセカンダリセルに非同期的に送信するステップであって、最大TA差が、端末のTAGのうちの任意の2つのTA間の最大差である、ステップ、または
端末デバイスの最大TA差が第3の閾値よりも大きい場合、セカンダリセルが配置されているTAGのTATが切れたと判定し、アップリンクデータをセカンダリセルに非同期的に送信するステップであって、最大TA差が、端末のTAGのうちの任意の2つのTA間の最大差である、ステップをさらに含む。
【００２７】
第1の態様に関連して、第1の態様のいくつかの実装形態では、端末デバイスのプライマリタイミングアドバンスグループPTAGの第1のTATが切れたときに、端末デバイスのすべてのサービングセルについて、非同期ではない送信のためにHARQプロセスでバッファリングされたデータがクリアされ、アップリンクデータを非同期ではなく送信するためのリソースが削除される。
【００２８】
第1の態様に関連して、第1の態様のいくつかの実装形態では、端末デバイスのセカンダリタイミングアドバンスグループSTAGの第1のTATが切れたときに、端末デバイスのSTAGに属するサービングセルについて、非同期ではない送信のためにHARQプロセスでバッファリングされたデータがクリアされ、アップリンクデータを非同期ではなく送信するためのリソースが削除される。
【００２９】
第1の態様に関連して、第1の態様のいくつかの実装形態では、本方法は、端末デバイスがソースセルの代わりにターゲットセルを再選択した場合、端末上で実行されている第1のTATまたは第2のTATを停止するステップであって、第1のTATまたは第2のTATがソースセルにおいて開始される、ステップをさらに含む。
【００３０】
第1の態様に関連して、第1の態様のいくつかの実装形態では、本方法は、端末デバイスがソースセルの代わりにターゲットセルを再選択し、ソースセルとターゲットセルとが同じTATグループに属する場合、ソースセルのTATをターゲットセルにおいて使用することを判定するステップをさらに含む。
【００３１】
第1の態様に関連して、第1の態様のいくつかの実装形態では、本方法は、第1のTATが切れたとき、または実行されていないときにアップリンクデータを非同期的に送信するステップであって、第1のTATがソースセルにおいて開始される、ステップ、または第2のTATが実行されているときにアップリンクデータを非同期的に送信するステップであって、第2のTATがソースセルにおいて開始される、ステップをさらに含む。
【００３２】
第1の態様に関連して、第1の態様のいくつかの実装形態では、ターゲットセルのネットワークデバイスによって送信されたTAが受信されると、第2のTATが停止され、ターゲットセルの第3のTATが開始され、第3のTATが、非同期送信のためのアップリンクタイミングアドバンスの有効時間を制御するために使用され、ターゲットセルの第3のTATが実行されると、アップリンクデータが非同期的に送信される。
【００３３】
第1の態様に関連して、第1の態様のいくつかの実装形態では、端末デバイスがソースセルの代わりにターゲットセルを再選択したときにソースセルの第2のTATが切れていないことは、ソースセルの第2のTATのタイミング持続時間がターゲットセルの第4のTATのタイミング持続時間未満である場合、ソースセルの第2のTATが切れていないと判定するステップ、またはターゲットセルの第4のTATのタイミング持続時間が、ソースセルの第2のTATの現在のタイミング値よりも大きい場合、ソースセルの第2のTATが切れていないと判定するステップを含む。
【００３４】
第1の態様に関連して、第1の態様のいくつかの実装形態では、端末デバイスが配置されているソースセルが、ターゲットセルとのダウンリンクタイミングオフセット差を指示し得る。端末デバイスがターゲットセルを再選択した後、ターゲットセルのTA値が、ソースセルによって維持されるTA値およびダウンリンクタイミングオフセット差に基づいて判定され、ターゲットセルのTA値が、同期または非同期送信中に使用され得る。
【００３５】
第1の態様に関連して、第1の態様のいくつかの実装形態では、端末デバイスが、プロトコルにおいて合意された方式で第2のTATのタイミング持続時間をさらに判定し得る。
【００３６】
第1の態様に関連して、第1の態様のいくつかの実装形態では、TAT構成情報を受信するステップが、ブロードキャストメッセージを受信するステップであって、ブロードキャストメッセージがTAT構成情報を含み、TAT構成情報が第1のTATと第2のTATとを含む、ステップを含む。本方法は、端末デバイスが、端末デバイスの能力に基づいて、第1のTATまたは第2のTATを使用するためのタイミング持続時間を判定することをさらに含む。
【００３７】
第1の態様に関連して、第1の態様のいくつかの実装形態では、本方法は、端末デバイスが、ハンドオーバコマンドまたは接続再構成メッセージから同期または非同期送信に使用される指示情報を受信し、アップリンクデータを送信する方式を判定することをさらに含む。
【００３８】
第1の態様に関連して、第1の態様のいくつかの実装形態では、本方法は、端末デバイスが、ダウンリンクデータのものであり、かつネットワークデバイスによって指示される送信時間と端末デバイスによってダウンリンクデータを受信する受信時間とに基づいてダウンリンク送信遅延を判定し、ダウンリンク送信遅延に基づいてアップリンクタイミングアドバンスTAを判定することをさらに含む。
【００３９】
この場合では、端末デバイスが、ダウンリンクデータのものであり、かつネットワークデバイスによって指示される送信時間と端末デバイスによってダウンリンクデータを受信する受信時間とに基づいてダウンリンク送信遅延を判定し、ダウンリンク送信遅延に基づいてアップリンクタイミングアドバンスTAを判定する。端末デバイスは、送信遅延に基づいてTAを推定し、ネットワークデバイスに完全に依存することなくTAを調整することができ、それにより、CP範囲内で端末デバイスのアップリンク送信タイミングを制御する精度を可能な限り改善し、ネットワークデバイスの検出の複雑さを軽減する。
【００４０】
第1の態様に関連して、第1の態様のいくつかの実装形態では、本方法は、端末デバイスが、判定されたアップリンクタイミングアドバンスに基づいてアップリンク送信タイミングを調整し、アップリンクデータをネットワークデバイスに同期的に送信する、またはアップリンクタイミングアドバンスが事前定義された閾値を超えたときに、アップリンクデータを非同期的に送信する、またはアップリンクタイミングアドバンスが事前定義された閾値を超えない場合に、アップリンクデータを同期的に送信することをさらに含む。
【００４１】
第2の態様によれば、無線通信方法が提供され、本方法は、ネットワークデバイスによって実行され、タイミングアドバンスタイマTAT構成情報を端末デバイスに送信するステップであって、TAT構成情報が、TATの持続時間を構成するために端末デバイスによって使用される、ステップと、TATの実行ステータスに基づいて端末デバイスによって送信されたアップリンクデータを受信するステップとを含む。
【００４２】
第2の態様に関連して、第2の態様のいくつかの実装形態では、構成情報が、
第1のTATであって、第1のTATが、同期送信のためのアップリンクタイミングアドバンスの有効時間を制御するために使用される、第1のTAT、
第2のTATであって、第2のTATが、非同期送信のためのアップリンクタイミングアドバンスの有効時間を制御するために使用される、第2のTAT、または
第1のTATおよび第2のTATであって、第1のTATが、同期送信のためのアップリンクタイミングアドバンスの有効時間を制御するために使用され、第2のTATが、非同期送信のためのアップリンクタイミングアドバンスの有効時間を制御するために使用される、第1のTATおよび第2のTAT
を含む。
【００４３】
第2の態様に関連して、第2の態様のいくつかの実装形態では、構成情報が、以下の情報、すなわち、アップリンクデータを非同期的に送信するために使用されるリソース、アップリンクデータを非同期的に送信するために使用されるHARQプロセス情報、アップリンクデータを同期的に送信するために使用されるリソース、およびアップリンクデータを同期的に送信するために使用されるHARQプロセス情報のうちの1つまたは複数のタイプをさらに含む。
【００４４】
第3の態様によれば、無線通信方法が提供され、本方法は、端末デバイスによって実行され、
端末デバイスの最大TA差が第1の閾値以上かつ第2の閾値以下である場合、セカンダリセルが配置されているTAGのTATが切れたと判定し、アップリンクデータをセカンダリセルに非同期的に送信するステップであって、最大TA差が、端末デバイスのTAGのうちの任意の2つのTA間の最大差である、ステップ、または
端末デバイスの最大TA差が第3の閾値よりも大きい場合、セカンダリセルが配置されているTAGのTATが切れたと判定し、アップリンクデータをセカンダリセルに非同期的に送信するステップであって、最大TA差が、端末デバイスのTAGのうちの任意の2つのTA間の最大差である、ステップ
を含む。
【００４５】
したがって、本出願の本実施形態では、端末デバイスの最大TA差が第1の閾値以上かつ第2の閾値以下である場合、または端末デバイスの最大TA差が第3の閾値よりも大きい場合、セカンダリセルが配置されているTAGのTATが切れたと判定され、アップリンクデータがセカンダリセルに非同期的に送信され、これにより、端末デバイスはアップリンクデータを非同期的に送信する。
【００４６】
第3の態様に関連して、第3の態様のいくつかの実装形態では、セカンダリセルが配置されているTAGのTATが切れたと判定すると、端末デバイスはアップリンクデータをセカンダリセルに同期的に送信することを停止し、端末デバイスは、アップリンクデータを同期的に送信するために使用されるハイブリッド自動再送要求HARQプロセスにおけるデータおよびアップリンクデータを同期的に送信するために使用されるリソースをクリアし、初期送信または再送信のために非同期送信を有効にすることができる、またはセカンダリセルが配置されているTAGのTATが切れたと判定すると、端末デバイスは、アップリンクデータを同期的に送信するために使用されるハイブリッド自動再送要求HARQプロセスにおけるデータをクリアせず、HARQにバッファリングされたデータを非同期的に送信することができる。
【００４７】
第3の態様に関連して、第3の態様のいくつかの実装形態では、第1の閾値、第2の閾値、および第3の閾値は、プロトコルで合意され得る、またはネットワークデバイスによって構成され得る。
【００４８】
以下の態様では、上述の方法のうちのいずれか1つのステップを実行するように構成されたユニットまたは手段（means）を備える通信装置が提供される。
【００４９】
第4の態様によれば、
ネットワークデバイスによって送信されたタイミングアドバンスタイマTAT構成情報を受信し、TAT構成情報が、TATの持続時間を構成するために使用される、ように構成された受信ユニットと、
TAT構成情報に基づいてTATを構成するように構成された構成ユニットと、
TATの実行ステータスに基づいてアップリンクデータを非同期的に送信するように構成された送信ユニットと
を備える、通信装置が提供される。
【００５０】
第4の態様に関連して、第4の態様のいくつかの実装形態では、TAT構成情報が第1のTATを含み、第1のTATが、同期送信のためのアップリンクタイミングアドバンスの有効時間を制御するために使用される。
【００５１】
第4の態様に関連して、第4の態様のいくつかの実装形態では、送信ユニットが、第1のTATが切れたときにアップリンクデータを非同期的に送信するように特に構成される。
【００５２】
第4の態様に関連して、第4の態様のいくつかの実装形態では、TAT構成情報が、以下の情報、すなわち、アップリンクデータを非同期的に送信するために使用されるリソース情報、アップリンクデータを非同期的に送信するために使用されるハイブリッド自動再送要求HARQプロセス情報、アップリンクデータを同期的に送信するために使用されるリソース情報、およびアップリンクデータを同期的に送信するために使用されるHARQプロセス情報のうちの1つまたは複数のタイプをさらに含む。
【００５３】
第4の態様に関連して、第4の態様のいくつかの実装形態では、TAT構成情報が第2のTATを含み、第2のTATが、非同期送信のためのアップリンクタイミングアドバンスの有効時間を制御するために使用される。
【００５４】
第4の態様に関連して、第4の態様のいくつかの実装形態では、送信ユニットが、第2のTATが実行されているときにアップリンクデータを非同期的に送信するように特に構成される。
【００５５】
第4の態様に関連して、第4の態様のいくつかの実装形態では、TAT構成情報が、以下の情報、すなわち、アップリンクデータを非同期的に送信するために使用されるリソース情報、およびアップリンクデータを非同期的に送信するために使用されるハイブリッド自動再送要求HARQプロセス情報のうちの1つまたは複数のタイプをさらに含む。
【００５６】
第4の態様に関連して、第4の態様のいくつかの実装形態では、TAT構成情報が第1のTATと第2のTATとを含み、第1のTATが、同期送信のためのアップリンクタイミングアドバンスの有効時間を制御するために使用され、第2のTATが、非同期送信のためのアップリンクタイミングアドバンスの有効時間を制御するために使用される。
【００５７】
第4の態様に関連して、第4の態様のいくつかの実装形態では、送信ユニットが、第1のTATが実行されておらず、第2のTATが実行されているときにアップリンクデータを非同期的に送信するように特に構成される。
【００５８】
第4の態様に関連して、第4の態様のいくつかの実装形態では、構成情報が、以下の情報、すなわち、アップリンクデータを非同期的に送信するために使用されるリソース情報、アップリンクデータを非同期的に送信するために使用されるハイブリッド自動再送要求HARQプロセス情報、アップリンクデータを同期的に送信するために使用されるリソース情報、およびアップリンクデータを同期的に送信するために使用されるHARQプロセス情報のうちの1つまたは複数のタイプをさらに含む。
【００５９】
第4の態様に関連して、第4の態様のいくつかの実装形態では、送信ユニットが、
端末デバイスの最大TA差が第1の閾値以上かつ第2の閾値以下である場合、セカンダリセルが配置されているTAGのTATが切れたと判定し、アップリンクデータをセカンダリセルに非同期的に送信し、最大TA差が、端末のTAGのうちの任意の2つのTA間の最大差である、または
端末デバイスの最大TA差が第3の閾値よりも大きい場合、セカンダリセルが配置されているTAGのTATが切れたと判定し、アップリンクデータをセカンダリセルに非同期的に送信し、最大TA差が、端末のTAGのうちの任意の2つのTA間の最大差である、
ようにさらに構成される。
【００６０】
第4の態様に関連して、第4の態様のいくつかの実装形態では、端末デバイスは処理ユニットをさらに備える。処理ユニットは、端末デバイスがソースセルの代わりにターゲットセルを再選択した場合、端末上で実行されている第1のTATまたは第2のTATを停止し、第1のTATまたは第2のTATがソースセルにおいて開始される、ように構成される。
【００６１】
第4の態様に関連して、第4の態様のいくつかの実装形態では、端末デバイスは処理ユニットをさらに備える。処理ユニットは、端末デバイスがソースセルの代わりにターゲットセルを再選択し、ソースセルとターゲットセルとが同じTATグループに属する場合、ソースセルのTATをターゲットセルにおいて使用することを判定するようにさらに構成される。
【００６２】
第4の態様に関連して、第4の態様のいくつかの実装形態では、送信ユニットが、第1のTATが切れたとき、または実行されていないときにアップリンクデータを非同期的に送信し、第1のTATがソースセルにおいて開始される、または第2のTATが実行されているときにアップリンクデータを非同期的に送信し、第2のTATがソースセルにおいて開始される、ようにさらに構成される。
【００６３】
第4の態様に関連して、第4の態様のいくつかの実装形態では、受信ユニットが、ブロードキャストメッセージを受信し、ブロードキャストメッセージがTAT構成情報を含み、TAT構成情報が第1のTATと第2のTATとを含む、ようにさらに構成される。
【００６４】
端末デバイスが処理ユニットをさらに備え、処理ユニットが、端末デバイスの能力に基づいて、第1のTATまたは第2のTATを使用するためのタイミング持続時間を判定するように構成される。
【００６５】
第5の態様によれば、
タイミングアドバンスタイマTAT構成情報を端末デバイスに送信し、TAT構成情報が、TATの持続時間を構成するために端末デバイスによって使用される、ように構成される送信ユニットと、
端末デバイスによって送信されたアップリンクデータを受信するように構成される受信ユニットと
を備える、通信装置が提供される。
【００６６】
第5の態様に関連して、第5の態様のいくつかの実装形態では、構成情報が、
第1のTATであって、第1のTATが、同期送信のためのアップリンクタイミングアドバンスの有効時間を制御するために使用される、第1のTAT、
第2のTATであって、第2のTATが、非同期送信のためのアップリンクタイミングアドバンスの有効時間を制御するために使用される、第2のTAT、または
第1のTATおよび第2のTATであって、第1のTATが、同期送信のためのアップリンクタイミングアドバンスの有効時間を制御するために使用され、第2のTATが、非同期送信のためのアップリンクタイミングアドバンスの有効時間を制御するために使用される、第1のTATおよび第2のTAT
を含む。
【００６７】
第5の態様に関連して、第5の態様のいくつかの実装形態では、構成情報が、以下の情報、すなわち、アップリンクデータを非同期的に送信するために使用されるリソース、アップリンクデータを非同期的に送信するために使用されるHARQプロセス情報、アップリンクデータを同期的に送信するために使用されるリソース、およびアップリンクデータを同期的に送信するために使用されるHARQプロセス情報のうちの1つまたは複数のタイプをさらに含む。
【００６８】
第6の態様によれば、
端末デバイスの最大TA差が第1の閾値以上かつ第2の閾値以下である場合、セカンダリセルが配置されているTAGのTATが切れたと判定し、アップリンクデータをセカンダリセルに非同期的に送信し、最大TA差が、端末デバイスのTAGのうちの任意の2つのTA間の最大差である、または
端末デバイスの最大TA差が第3の閾値よりも大きい場合、セカンダリセルが配置されているTAGのTATが切れたと判定し、アップリンクデータをセカンダリセルに非同期的に送信し、最大TA差が、端末デバイスのTAGのうちの任意の2つのTA間の最大差である、ように構成された判定ユニット
を備える、通信装置が提供される。
【００６９】
第7の態様によれば、本出願は、メモリに接続され、第1の態様および第1の態様の任意の実装形態のいずれか1つならびに第3の態様および第3の態様の任意の実装形態のいずれか1つにおける方法を実行するためにメモリに格納されたプログラムを呼び出すように構成された少なくとも1つのプロセッサを備える通信装置を提供する。プログラムは、少なくとも1つのプロセッサによって直接または間接的に実行され、これにより、通信装置が、第1の態様および第1の態様の任意の実装形態のいずれか1つならびに第3の態様および第3の態様の任意の実装形態のいずれか1つにおける方法を実行することが可能にされ得る。
【００７０】
第8の態様によれば、少なくとも1つのプロセッサとインターフェース回路とを備える通信装置が提供される。インターフェース回路は、別のデバイスと通信するために通信装置によって使用され、格納された命令が、少なくとも1つのプロセッサによって直接または間接的に実行され、これにより、通信装置が、第1の態様および第1の態様の任意の実装形態のいずれか1つならびに第3の態様および第3の態様の任意の実装形態のいずれか1つにおける方法を実行することが可能にされ得る。
【００７１】
第9の態様によれば、端末が提供される。端末は第4の態様で提供される装置を含む、または端末は第6の態様で提供される装置を含む、または端末は第7の態様で提供される装置を含む、または端末は第8の態様で提供される装置を含む。
【００７２】
第10の態様によれば、本出願はプログラムを提供する。プロセッサによって実行されると、プログラムは、第1の態様または第3の態様で提供される方法を実行するために使用される。
【００７３】
第11の態様によれば、本出願は、第10の態様のプログラムを含む、プログラム製品、例えばコンピュータ可読記憶媒体を提供する。
【００７４】
第12の態様によれば、本出願は、メモリに接続され、第2の態様および第2の態様の任意の実装形態のいずれか1つにおける方法を実行するためにメモリに格納されたプログラムを呼び出すように構成された少なくとも1つのプロセッサを備える通信装置を提供する。プログラムは、少なくとも1つのプロセッサによって直接または間接的に実行され、これにより、通信装置が、第2の態様および第2の態様の任意の実装形態のいずれか1つにおける方法を実行することが可能にされ得る。
【００７５】
第13の態様によれば、少なくとも1つのプロセッサとインターフェース回路とを備える通信装置が提供される。インターフェース回路は、別のデバイスと通信するために通信装置によって使用され、格納された命令が、少なくとも1つのプロセッサによって直接または間接的に実行され、これにより、通信装置が、第2の態様および第2の態様の任意の実装形態のいずれか1つにおける方法を実行することが可能にされ得る。
【００７６】
第14の態様によれば、端末が提供される。端末は第5の態様で提供される装置を含む、または端末は第12の態様で提供される装置を含む、または端末は第13の態様で提供される装置を含む。
【００７７】
第15の態様によれば、本出願はプログラムを提供する。プロセッサによって実行されると、プログラムは、第2の態様で提供される方法を実行するために使用される。
【００７８】
第16の態様によれば、本出願は、第15の態様のプログラムを含む、プログラム製品、例えばコンピュータ可読記憶媒体を提供する。
【図面の簡単な説明】
【００７９】
【図１】本出願の一実施形態による通信システムの概略図である。
【図２】本出願の一実施形態による無線通信方法の概略的な流れ図である。
【図３】本出願の一実施形態によるTAの概略図である。
【図４】本出願の一実施形態による無線通信方法の概略的な流れ図である。
【図５】本出願の一実施形態による無線通信方法の概略的な流れ図である。
【図６】本出願の一実施形態による装置の概略的なブロック図である。
【図７】本出願の一実施形態による装置の概略的なブロック図である。
【図８】本出願の一実施形態による端末デバイスの概略的な構成図である。
【図９】本出願の一実施形態によるネットワークデバイスの概略的な構成図である。
【発明を実施するための形態】
【００８０】
以下、添付の図面を参照しながら本出願の技術的解決策を説明する。
【００８１】
本出願の実施形態の理解を容易にするために、本出願で使用される用語がまず説明される。
【００８２】
本出願では、同期送信は直交多元接続と呼ばれることもある。同期送信は、データと比較的短いシーケンスコードとがデータリソース上で一緒に送信されることを意味し得る。例えば、同期送信では、第1の復調参照信号（demodulation reference signal、DMRS）とデータとが、PUSCHリソース上で一緒に送信され得る。第1のDMRSは、既存のDMRS形式であってもよいし、新しく導入されたDMRSシーケンスであってもよい。非同期送信は、非直交多元接続と呼ばれる場合もあれば、2ステップランダムアクセス（random access channel、RACH）送信と呼ばれる場合もある。非同期送信は、preambleとデータとが同時に送信されることを意味する。非同期送信の例では、端末デバイスはpreambleをまず送信し、ランダムアクセス応答を受信する前にPUSCHリソース上でデータを送信する。第1のDRMSは、非同期送信でさらに送信され得る。非同期送信は、データがPUSCH上で送信され、preambleがRACHリソースまたはPUSCH上で送信されることを意味する。非同期送信中、端末デバイスは、有効なTA値がない場合にデータを送信する、すなわち、TATが切れているTAGに含まれるセルでデータを送信すると見なされ得ることがさらに理解されよう。非同期送信では、アップリンク送信のためのデータに伴って比較的長いシーケンスコードが使用される。比較的長いシーケンスコードは、ランダムアクセスpreambleまたは比較的長いDMRS、例えば、第1のpreamble、第2のDMRS、または拡散符号であり得る。第2のDMRSの形式と第1のDMRSの形式とは異なる。例えば、第2のDMRSのシーケンスは、第1のDMRSのシーケンスよりも長い。場合により、第1のpreambleおよびデータは時分割方式でデータリソース上で送信される。場合により、第1のpreambleおよびデータリソースは周波数分割方式で送信される。換言すれば、preambleを送信するための周波数領域リソースは、データを送信するための周波数領域リソースとは異なる。第1のpreambleおよびデータを送信する時間は、分離されていてもよいし、重複していてもよい。拡散符号が使用される場合、端末は拡散符号を使用することにより送信データをスクランブルし、次いでデータを非同期的に送信する。
【００８３】
本出願では、端末は、ネットワークデバイスによって端末デバイスに送信されるTAT構成情報における1つまたは複数の情報を使用することにより、無線リソース制御（radio resource control、RRC）シグナリング、媒体アクセス制御（media access control、MAC）シグナリング、物理層シグナリングなどを介して構成され得る。
【００８４】
本出願の実施形態の技術的解決策は、汎欧州デジタル移動電話方式（global system for mobile communications、GSM）システム、符号分割多元接続（code division multiple access、CDMA）システム、広帯域符号分割多元接続（wideband code division multiple access、WCDMA(登録商標)）システム、汎用パケット無線サービス（general packet radio service、GPRS）システム、ロングタームエボリューション（long term evolution、LTE）システム、LTE周波数分割複信（frequency division duplex、FDD）システム、LTE時分割複信（time division duplex、TDD）、ユニバーサルモバイルテレコミュニケーションズシステム（universal mobile telecommunication system、UMTS）、ワールドワイド・インターオペラビリティ・フォー・マイクロウェーブ・アクセス（worldwide interoperability for microwave access、WiMAX）通信システム、将来の第5世代（5th generation、5G）システム、またはnew radio（new radio、NR）システムなどの様々な通信システムに適用され得る。
【００８５】
本出願の実施形態における端末デバイスはまた、ユーザ機器、アクセス端末、加入者ユニット、加入者局、移動局、モバイルコンソール、リモートステーション、リモート端末、モバイルデバイス、ユーザ端末、端末、無線通信デバイス、ユーザエージェント、またはユーザ装置などと呼ばれる場合もある。端末デバイスは、携帯電話、コードレス電話、セッション・イニシエーション・プロトコル（session initiation protocol、SIP）電話、無線ローカルループ（wireless local loop、WLL）局、携帯情報端末（personal digital assistant、PDA）、無線通信機能を有するハンドヘルドデバイス、コンピューティングデバイス、無線モデムに接続された別の処理デバイス、車載デバイス、ウェアラブルデバイス、将来の5Gネットワークにおける端末デバイス、または将来の発展型公衆陸上携帯電話網（public land mobile network、PLMN）における端末デバイスであり得る。このことは、本出願の実施形態において限定されない。
【００８６】
本出願の実施形態におけるネットワークデバイスは、端末デバイスと通信するように構成されたデバイスであり得る。ネットワークデバイスは、汎欧州デジタル移動電話方式（global system for mobile communications、GSM）または符号分割多元接続（code division multiple access、CDMA）のベーストランシーバ基地局（base transceiver station、BTS）であってもよいし、広帯域符号分割多元接続（wideband code division multiple access、WCDMA(登録商標)）システムのNodeB（NodeB、NB）であってもよいし、LTEシステムの発展型NodeB（evolved NodeB、eNB、またはeNodeB）であってもよいし、クラウド無線アクセスネットワーク（cloud radio access network、CRAN）シナリオにおける無線コントローラであってもよい。あるいは、ネットワークデバイスは、リレーノード、アクセスポイント、車載デバイス、ウェアラブルデバイス、将来の5Gネットワークにおけるネットワークデバイス、将来の発展型PLMNネットワークにおけるネットワークデバイスなどであってもよい。このことは、本出願の実施形態において限定されない。
【００８７】
本出願の実施形態では、端末デバイスまたはネットワークデバイスは、ハードウェア層、ハードウェア層の上で実行されるオペレーティングシステム層、およびオペレーティングシステム層の上で実行されるアプリケーション層を含む。ハードウェア層は、中央処理装置（central processing unit、CPU）、メモリ管理装置（memory management unit、MMU）、およびメモリ（メインメモリとも呼ばれる）などのハードウェアを含む。オペレーティングシステムは、プロセス（process）を使用することによりサービス処理を実施する、任意の1つまたは複数のコンピュータオペレーティングシステム、例えば、Linux(登録商標)オペレーティングシステム、Unixオペレーティングシステム、Androidオペレーティングシステム、iOSオペレーティングシステム、またはWindowsオペレーティングシステムであり得る。アプリケーション層は、ブラウザ、アドレス帳、ワードプロセッシングソフトウェア、およびインスタントメッセージングソフトウェアなどのアプリケーションを含む。加えて、本出願の実施形態は、本出願の実施形態で提供される方法に従って通信を実装するために本出願の実施形態で提供される方法のプログラム記録コードを実行することができるという条件で、本出願の実施形態で提供される方法の実行体の特定の構造を特に限定しない。例えば、本出願の実施形態で提供される方法の実行体は、端末デバイスまたはネットワークデバイスであってもよいし、端末デバイスまたはネットワークデバイスにおいてプログラムを呼び出して実行することができる機能ユニットであってもよい。
【００８８】
加えて、本出願の態様または特徴は、標準的なプログラミングおよび／またはエンジニアリング技術を使用する方法、装置、または製品として実施されてもよい。本出願で使用される用語「製品」は、任意のコンピュータ可読コンポーネント、キャリア、または媒体からアクセスされ得るコンピュータプログラムを包含する。例えば、コンピュータ可読媒体は、限定されるものではないが、磁気ストレージコンポーネント（例えば、ハードディスク、フロッピーディスク、または磁気テープ）、光ディスク（例えば、コンパクトディスク（compact disk、CD）またはデジタル多用途ディスク（digital versatile disk、DVD））、スマートカード、フラッシュメモリコンポーネント（例えば、イレーサブルプログラマブル読み取り専用メモリ（erasable programmable read−only memory、EPROM）、カード、スティック、またはキードライブ）を含み得る。加えて、本明細書で説明される様々な記憶媒体は、情報を格納するように構成された1つまたは複数のデバイスおよび／または他の機械可読媒体を示すことができる。「機械可読媒体」という用語は、限定されるものではないが、無線チャネル、ならびに命令および／またはデータを記憶、格納、および／または担持できる様々な他の媒体を含み得る。
【００８９】
図1は、本出願による通信システムの概略図である。図1に示されるように、通信システム100は、ネットワークデバイス102を備え、ネットワークデバイス102は、アンテナ104、アンテナ106、アンテナ108、アンテナ110、アンテナ112、およびアンテナ114などの複数のアンテナを備え得る。加えて、ネットワークデバイス102は、送信系および受信系を追加的に備え得る。送信系および受信系は、信号の送信および受信に関連する複数のコンポーネント（例えば、プロセッサ、変調器、マルチプレクサ、復調器、デマルチプレクサ、およびアンテナ）を備え得ることを当業者には理解されよう。
【００９０】
ネットワークデバイス102は、複数の端末デバイス（例えば、端末デバイス116および端末デバイス122）と通信することができる。ただし、ネットワークデバイス102は、端末デバイス116または端末デバイス122と同様の任意の数の端末デバイスと通信し得ることが理解されよう。
【００９１】
図1に示されるように、端末デバイス116は、アンテナ112およびアンテナ114と通信する。アンテナ112およびアンテナ114はそれぞれ、順方向リンク118を介して端末デバイス116に情報を送信し、逆方向リンク120を介して端末デバイス116からの情報を受信する。加えて、端末デバイス122は、アンテナ104およびアンテナ106と通信する。アンテナ104およびアンテナ106はそれぞれ、順方向リンク124を介して端末デバイス122に情報を送信し、逆方向リンク126を介して端末デバイス122からの情報を受信する。
【００９２】
例えば、周波数分割複信（frequency division duplex、FDD）システムでは、例えば、順方向リンク118と逆方向リンク120とは異なる周波数帯域を使用することができ、順方向リンク124と逆方向リンク126とは異なる周波数帯域を使用することができる。
【００９３】
別の例として、時分割複信（time division duplex、TDD）システムおよび全二重（Full Duplex）システムでは、順方向リンク118と逆方向リンク120とは、同じ周波数帯域を使用することができ、順方向リンク124と逆方向リンク126とは、同じ周波数帯域を使用することができる。
【００９４】
通信のために設計されている各アンテナ（または複数のアンテナを含むアンテナグループ）および／またはエリアは、ネットワークデバイス102のセクタと呼ばれる。例えば、アンテナグループは、ネットワークデバイス102のカバレッジのセクタにある端末デバイスと通信するように設計され得る。ネットワークデバイス102が順方向リンク118および順方向リンク124を介して端末デバイス116および端末デバイス122とそれぞれ通信するプロセスにおいて、ネットワークデバイス102の送信アンテナは、ビームフォーミングによって順方向リンク118および順方向リンク124の信号雑音比を改善し得る。加えて、ネットワークデバイス102が、ビームフォーミングを介して、関連するカバレッジにおいてランダムに散在する端末デバイス116および端末デバイス122に信号を送信する場合、隣接セル内のモバイルデバイスへの干渉は、ネットワークデバイスが単一のアンテナを使用することによりネットワークデバイスのすべての端末デバイスに信号を送信した場合に引き起こされる干渉よりも少ない。
【００９５】
所与の時間内において、ネットワークデバイス102、端末デバイス116、または端末デバイス122は、無線通信送信装置および／または無線通信受信装置であり得る。データを送信する場合、無線通信送信装置は送信のためにデータを符号化することができる。具体的には、無線通信送信装置は、チャネルを介して無線通信受信装置に送信されるべき特定の数のデータビットを取得（例えば、生成、別の通信装置から受信、またはメモリに格納）することができる。データビットは、データのトランスポートブロック（または複数のトランスポートブロック）に含まれてよく、トランスポートブロックは、複数の符号ブロックにセグメント化されてよい。
【００９６】
加えて、図1は一例の簡略化された概略図である。ネットワークは、図1には示されていない別のネットワークデバイスをさらに含むことができる。
【００９７】
端末デバイスによるネットワークデバイスへのデータの送信は、アップリンク送信と通常呼ばれる。アップリンク送信の重要な特徴は、異なる端末デバイスが時間および周波数で直交多元接続（orthogonal multiple access）を実行することである、つまり、同じセル内の異なる端末デバイスのアップリンク送信が互いに干渉しないことである。
【００９８】
アップリンク送信の直交性を確保し、セル内（intra−cell）干渉を回避するために、ネットワークデバイスは、同じサブフレーム内であるが異なる周波数領域のリソースにある異なる端末デバイスからの信号がネットワークデバイスに到達する時間が基本的に整列されることを必要とする。ネットワークデバイスは、アップリンクデータがサイクリックプレフィックス（Cyclic Prefix）区間内で受信されることを条件として、端末デバイスによって送信されたアップリンクデータを正しく復号することができる。したがって、直交多元接続は同期送信とも呼ばれ、アップリンク同期は、同じサブフレーム内の異なる端末デバイスからの信号がネットワークデバイスに到着する時間がサイクリックプレフィックス区間内に含まれることを必要とする。
【００９９】
ネットワークデバイス側での時間同期を確保するために、LTEはアップリンクタイミングアドバンス（Uplink Timing Advance）メカニズムを提案している。
【０１００】
端末デバイス側の観点から、timing advanceは、本質的に、ダウンリンクサブフレームを受信する開始時間とアップリンクサブフレームを送信する時間との間のオフセット（offset）である。ネットワークデバイスは、各端末デバイスのアップリンクタイミングオフセットを適切に制御することによって、異なる端末デバイスからのアップリンク信号がネットワークデバイスに到着する時間を制御することができる。ネットワークデバイスから遠く離れた端末デバイスは、比較的大きい送信遅延を有するため、端末デバイスは、ネットワークデバイスの近くの端末デバイスよりも早くアップリンクデータを送信する必要がある。
【０１０１】
アップリンクデータ（非preamble）を送信する場合、端末デバイスは、端末デバイスが「有効なTA値」を有するか否かをまず判定する。はいの場合、端末デバイスは、ネットワークデバイスによって割り当てられたリソース上でアップリンクデータを送信するために、有効なTA値を使用する。いいえの場合、アップリンクデータは送信されない。端末デバイスが「有効なTA値」を有しているか否かに関係なく、端末デバイスがpreambleを送信する必要がある場合、TAは0に等しいと見なされ、端末デバイスはpreambleを送信する。
【０１０２】
従来技術では、端末デバイスは、タイミングアドバンスタイマ（Timing Advance Timer、TAT）を使用することにより同期送信を通常実施する。具体的には、同期送信はTATのタイミング範囲内でのみ実行され得、TATが切れたときにアップリンク送信が停止する。換言すれば、TATのタイミング範囲内にあることは、端末デバイスが「有効なTA値」を有し、端末デバイスがネットワークデバイスによって割り当てられたリソース上でアップリンクデータを送信することができることを示す。TATタイミングが切れたとき、このことは端末デバイスが「有効なTA値」を持たないことを示し、端末デバイスはアップリンクデータを送信することを停止するが、preambleを送信することができる。
【０１０３】
従来技術では、端末デバイスがデータを送信する必要がある場合、端末デバイスは、タイミングアドバンス（TA）値を取得するためにランダムアクセスプロセスを開始する必要があり、それにより、比較的長い通信遅延がもたらされ、ユーザエクスペリエンスに影響することが分かる。したがって、非直交多元接続（non−orthogonal multiple access）がアップリンク送信に導入され得る。具体的には、アップリンク送信は非同期送信をサポートすることができる。非同期送信は、同じサブフレーム内の異なる端末デバイスからの信号がネットワークデバイスに到着する時間に特定のずれがあり得、サイクリックプレフィックス区間に含まれる必要がないことを主に意味する。しかしながら、既存のメカニズムが依然として使用されている場合、端末デバイスは、端末デバイスが非同期送信をサポートできるか否か、およびタイミングオフセットが緩い場合に非同期送信をどのようにサポートするかを判定することができない。
【０１０４】
上記の問題に基づいて、本出願は無線通信方法を提供し、これにより、端末デバイスがアップリンクデータを送信する方式を判定することができ、端末デバイスがアップリンクデータを送信する判定された方式に基づいてアップリンクデータを送信する。送信方式は、非同期送信と同期送信とを含む。
【０１０５】
図2を参照して、以下、本出願で提供される無線通信方法200を詳細に説明する。図2は、本出願の一実施形態による無線通信方法200の概略的な流れ図である。方法200は、図1に示されるシナリオに適用され得、当然のことながら、別の通信シナリオにも適用され得る。このことは、本出願の本実施形態において限定されない。
【０１０６】
ステップ210において、ネットワークデバイスが、タイミングアドバンスタイマTAT構成情報を端末デバイスに送信し、TAT構成情報が、TATの持続時間を構成するために端末デバイスによって使用される。
【０１０７】
ステップ220において、端末デバイスは、ネットワークデバイスによって送信されたTAT構成情報を受信する。
【０１０８】
ステップ230において、端末デバイスは、TAT構成情報に基づいてTATを構成する。
【０１０９】
ステップ240において、端末デバイスは、TATの実行ステータスに基づいてアップリンクデータを送信する。
【０１１０】
例えば、アップリンクデータがネットワークデバイスに同期的に送信されたり、アップリンクデータがネットワークデバイスに非同期的に送信されたりする。
【０１１１】
ステップ250において、ネットワークデバイスは、端末デバイスによって送信されたアップリンクデータを受信する。
【０１１２】
したがって、ネットワークデバイスは、TATの持続時間を構成するために使用されるTAT構成情報を端末デバイスに送信し、端末デバイスは、構成情報に基づいてTATを構成し、TATの実行ステータスに基づいてアップリンクデータをネットワークデバイスに非同期的に送信し、これにより、端末デバイスは、非同期送信方式でアップリンクデータをネットワークデバイスに送信する。
【０１１３】
場合により、TAT構成情報が第1のTATを含み、第1のTATが、同期送信のためのアップリンクタイミングアドバンスの有効時間を制御するために使用される。
【０１１４】
場合により、TAT構成情報が第1のTATを含む場合、第1のTATは、端末デバイスがネットワークデバイスによって送信されたタイミングアドバンスTAを受信すると、開始または再開される。ステップ240において、端末デバイスは、第1のTATが切れたときに、アップリンクデータを非同期的に送信する、または端末デバイスは、第1のTATが切れていないとき、アップリンクデータを同期的に送信する。
【０１１５】
この場合では、端末デバイスは、第1のTATが実行されているとき、もしくは換言すれば第1のTATが切れていないときに、アップリンクデータを同期的に送信する、または端末デバイスは、第1のTATが切れたときにアップリンクデータを非同期的に送信し、これにより、端末デバイスはアップリンクデータをネットワークデバイスに同期的に送信することができるだけでなく、非同期送信方式でアップリンクデータをネットワークデバイスに送信することができる。
【０１１６】
TAは、セルまたはTAG内のセルに対するものであり、端末がTAを受信すると、TAコマンドに対応するTAGに関連付けられた第1のTATが開始または再開されることを理解されたい。ランダムアクセス応答におけるTAの場合、TAGは、端末デバイスがpreambleを開始するセルが配置されているTAGである。TAのために調整されたMAC命令におけるTAは、命令において指示されるTAGに対応する。
【０１１７】
ネットワークデバイスは、2つの方式でタイミングアドバンスTAを端末デバイスに送信することを理解されたい。1つの方式では、ランダムアクセスプロセスにおいて、ネットワークデバイスは、受信されたpreambleを測定することによってtiming advance値を判定し、ランダムアクセス応答（random access response、RAR）のtiming advance commandフィールド（合計12ビット）を使用することによってタイミングアドバンス値を端末デバイスに送信する。別の方式では、無線リソース制御（radio resource control、RRC）接続CONNECTEDモードにおいて、ネットワークデバイスは、Timing Advance Command MAC control elementまたはRRCメッセージを使用することによりタイミングアドバンスTAを端末デバイスに送信する。RRC接続モードでは、ネットワークデバイスはtiming advance情報を維持する必要がある。アップリンク同期は、ランダムアクセスプロセスで端末デバイスとネットワークデバイスとの間で実施されるが、アップリンク信号がネットワークデバイスに到着する時間は時間とともに変化し得る。高速移動中の端末デバイス、例えば運行中の高速鉄道上の端末デバイスとネットワークデバイスとの間の伝送遅延は絶えず変化する。現在の伝送経路が消え、新しい伝送経路に切り替わる。例えば、密集した都市では、人々が建物の隅に歩いてきたときにこの状況が発生する可能性がある。端末デバイスの移動によるドップラーシフトに起因して、端末デバイスの水晶発振器オフセットがあり、オフセットが長時間蓄積されるとアップリンクタイミングに誤差が生じる場合がある。したがって、端末デバイスは、アップリンク同期を維持するために、端末デバイスのアップリンクタイミングアドバンスを継続的に更新する必要がある。ネットワークデバイスは、対応する端末デバイスのアップリンク送信の測定に基づいて、各端末デバイスのtiming advance値を判定する。したがって、ネットワークデバイスは、端末デバイスがアップリンク送信を実行するという条件で、timing advance値を推定することができる。理論的には、端末デバイスによって送信される任意の信号（例えば、チャネルサウンディング参照信号（sounding reference signal、SRS）／DMRS／肯定応答フレームACK／否定応答フレームNACK／物理アップリンク共有チャネル（physical uplink shared channel、PUSCH））が、timing advanceを測定するために使用され得る。特定の端末デバイスが修正される必要がある場合、ネットワークデバイスは、端末デバイスにアップリンク送信timingを調整するように要求するために、Timing Advance Command MAC control elementを使用することによりTiming Advance Commandを端末デバイスに送信する。
【０１１８】
場合により、構成メッセージは、システム情報ブロック（system information block、SIB）、RRC再構成メッセージ、RRC接続確立メッセージ、RRC接続再確立メッセージ、接続再開メッセージ、接続解放メッセージ、または接続中断メッセージなどのメッセージであり得る。
【０１１９】
場合により、TATが第1のTATを含む場合、構成情報が、以下の情報、すなわち、
アップリンクデータを非同期的に送信するために使用されるリソース情報、アップリンクデータを非同期的に送信するために使用されるハイブリッド自動再送要求HARQプロセス情報、アップリンクデータを同期的に送信するために使用されるリソース情報、アップリンクデータを同期的に送信するために使用されるHARQプロセス情報、非同期送信のために使用されるシーケンスコード、および同期送信のためのシーケンスコード
のうちの1つまたは複数のタイプをさらに含む。
【０１２０】
アップリンクデータを非同期的または同期的に送信するために使用されるリソース情報は、周波数領域リソース、時間領域リソース、および符号リソースのうちの1つまたは複数を含むことを理解されたい。非同期送信に使用されるシーケンスコードは、preambleであり得る。
【０１２１】
場合により、非同期送信に使用されるシーケンスコードまたはシーケンスコードの送信に使用されるリソースと、アップリンクデータを非同期的に送信するために使用されるリソースとの間に対応関係がある。この対応関係は、ネットワークにおいて構成メッセージで指示され得る。
【０１２２】
場合により、第1のTATが切れたときに、端末デバイスは、アップリンクデータを送信するために使用されるハイブリッド自動再送要求HARQプロセスにおけるデータおよびアップリンクデータを送信するために使用されるリソースをクリアし、初期送信または再送信のために非同期方式を有効にすることができる、または第1のTATが切れたときに、端末デバイスは、アップリンクデータを送信するために使用されるハイブリッド自動再送要求HARQプロセスにおけるデータをクリアせず、HARQにバッファリングされたデータを非同期的に送信することができ、HARQプロセスが、同期送信もしくは非同期送信に使用され得る、またはすべてのHARQプロセスであり得る。場合により、非同期送信に使用されるデータリソースが構成されている場合、好ましくは、非同期送信に使用されるデータリソースはクリアされない、または換言すれば、非同期送信に使用されるデータリソースは、第1のTATが切れたときに予約される。
【０１２３】
同期送信に使用されるHARQが構成されている場合、好ましくは、同期送信に使用されるHARQプロセスにおけるデータは、第1のTATが切れたときにクリアされることが理解されよう。
【０１２４】
場合により、すべてのHARQが同期および非同期送信に使用され得る場合、好ましくは、第1のTATが切れたときにすべてのHARQプロセスのデータがクリアされる。
【０１２５】
場合により、同期送信に使用されるデータリソースが構成されている場合、好ましくは、同期送信に使用されるデータリソースは、第1のTATが切れたときにクリアされる。
【０１２６】
場合により、すべてのデータリソースが同期および非同期送信に使用され得る場合、好ましくは、第1のTATが切れたときに、データ送信のためのリソースがデータを非同期的に送信するために予約される。
【０１２７】
場合により、すべてのデータリソースが同期および非同期送信に使用され得る場合、好ましくは、第1のTATが切れたときにHARQプロセスのデータがクリアされない。
【０１２８】
場合により、非同期送信に使用されるリソースに対応するHARQプロセスと同期送信に使用されるリソースに対応するHARQプロセスとが共有される場合、第1のTATが切れると、同期送信に使用されるリソースに対応するHARQプロセスを含むデータがクリアされる。
【０１２９】
場合により、第1のTATが切れると、端末デバイスは、第1のTATが切れたときに取得されたTA値、つまり端末によって維持されたTA値を使用することによって、またはTA＝0を使用することによって、アップリンクデータを非同期的に送信することができる。
【０１３０】
場合により、本出願の別の実施形態では、TATが第2のTATを含み、第2のTATが、非同期送信のためのアップリンクタイミングアドバンスの有効時間を制御するために使用される。
【０１３１】
場合により、TAT構成情報が第2のTATを含む場合、TAコマンドによって指示されるTAGに対応する第2のTATは、端末デバイスがネットワークデバイスによって送信されたタイミングアドバンスTAを受信すると、開始または再開される。
【０１３２】
場合により、TATが第2のTATを含む場合、ステップ240において、端末デバイスは、第2のTATが実行されているときにアップリンクデータを非同期的に送信する、または端末デバイスは、第2のTATが実行されていないか切れているとき、アップリンクデータを送信することを停止する。
【０１３３】
場合により、TATが第2のTATを含む場合、端末は、非同期送信を実行するか否かを判定するために、第2のTATが実行されているときに実行持続時間を閾値と比較する。例えば、物理アップリンク共有チャネル（physical uplink shared channel、PUSCH）は、第2のTATの実行持続時間が閾値以下である場合に同期的に送信される。例えば、第2のTATの実行持続時間が閾値以上である場合、PUSCHは非同期的に送信される。好ましくは、非直交多元接続送信または非同期送信をサポートする端末は、送信方式を判定するための判定を実行する。この場合では、端末デバイスは、第2のTATが実行されているときにアップリンクデータを非同期的に送信し、これにより、端末デバイスは、非同期送信方式でアップリンクデータをネットワークデバイスに送信する。
【０１３４】
場合により、構成メッセージは、システム情報ブロック（system information block、SIB）、RRC再構成メッセージ、RRC接続確立メッセージ、RRC接続再確立メッセージ、接続再開メッセージ、接続解放メッセージ、または接続中断メッセージなどのメッセージであり得る。
【０１３５】
場合により、TATが第2のTATを含む場合、構成情報は、以下の情報、すなわち、アップリンクデータを非同期的に送信するために使用されるリソース情報、およびアップリンクデータを非同期的に送信するために使用されるハイブリッド自動再送要求HARQプロセス情報のうちの1つまたは複数のタイプをさらに含む。端末が実行持続時間を閾値と比較することによって送信方式を判定するとき、ネットワークデバイスは、端末のために以下の情報、すなわち、アップリンクデータを同期的に送信するために使用されるリソース情報、およびアップリンクデータを同期的に送信するために使用されるハイブリッド自動再送要求HARQプロセス情報のうちの1つまたは複数のタイプをさらに構成し得る。
【０１３６】
アップリンクデータを非同期的または同期的に送信するために使用されるリソース情報は、周波数領域リソース、時間領域リソース、および符号リソースのうちの1つまたは複数を含むことを理解されたい。非同期送信のための符号リソースは、preambleと、preambleを送信するための時間−周波数リソースとを含み得る。
【０１３７】
場合により、第2のTATが切れたときに、端末デバイスは、アップリンクデータを送信することを停止し、アップリンクデータを送信するために使用されるハイブリッド自動再送要求HARQプロセスにおけるデータおよびアップリンクデータを非同期的に送信するために使用されるリソースをクリアする。
【０１３８】
場合により、第2のTATが実行されているとき、端末デバイスは、TA＝0または維持されているTA値を使用することによりアップリンクデータを非同期的に送信することができる。
【０１３９】
場合により、本出願のさらに別の実施形態では、TATが第1のTATと第2のTATとを含み、第1のTATが、同期送信のためのアップリンクタイミングアドバンスの有効時間を制御するために使用され、第2のTATが、非同期送信のためのアップリンクタイミングアドバンスの有効時間を制御するために使用される。
【０１４０】
場合により、TAT構成情報が第1のTATと第2のTATとを含む場合、第1のTATは、端末デバイスがネットワークデバイスによって送信されたタイミングアドバンスTAを受信すると開始または再開され、第2のTATは、第1のTATが切れたときに開始または再開される。ステップ240において、端末デバイスは、第1のTATが実行されているときにアップリンクデータを同期的に送信する、または端末デバイスは、第1のTATが実行されておらず、第2のTATが実行されているときに、アップリンクデータを非同期的に送信する、または端末デバイスは、第1のTATも第2のTATも実行されていない場合、アップリンクデータを送信することを停止する。別の実施形態で説明されるHARQデータおよびデータリソースの管理もまた、本実施形態に適用され得る。
【０１４１】
場合により、同期送信に使用されるHARQが構成されている場合、好ましくは、同期送信に使用されるHARQプロセスのデータは、第1のTATが切れたときにクリアされる。場合により、同期送信に使用されるデータリソースが構成されている場合、好ましくは、同期送信に使用されるデータリソースは、第1のTATが切れたときにクリアされる。
【０１４２】
場合により、すべてのHARQが同期および非同期送信に使用され得る場合、好ましくは、第1のTATが切れたときにすべてのHARQプロセスのデータがクリアされる。場合により、すべてのデータリソースが同期および非同期送信に使用され得る場合、好ましくは、第1のTATが切れたときに、データ送信のためのリソースがデータを非同期的に送信するために予約される。
【０１４３】
場合により、非同期送信に使用されるHARQが構成されている場合、非同期送信に使用されるHARQプロセスのデータは、第2のTATが切れたときにクリアされる。
【０１４４】
場合により、非同期送信に使用されるデータリソースが構成されている場合、好ましくは、非同期送信に使用されるデータリソースは、第2のTATが切れたときにクリアされる。
【０１４５】
場合により、すべてのHARQプロセスが同期および非同期送信に使用され得る場合、第2のTATが切れたときにすべてのHARQプロセスのデータがクリアされる。
【０１４６】
場合により、すべてのリソースが同期および非同期のデータ送信に使用される場合、第2のTATが切れたときにすべてのリソースがクリアされる。この場合では、端末デバイスは、第1のTATが実行されているとき、もしくは換言すれば第1のTATが切れていないときに、アップリンクデータを同期的に送信する、または端末デバイスは、第1のTATが実行されておらず、第2のTATが実行されているときにアップリンクデータを非同期的に送信し、これにより、端末デバイスはアップリンクデータをネットワークデバイスに同期的に送信することができるだけでなく、非同期送信方式でアップリンクデータをネットワークデバイスに送信することができる。
【０１４７】
場合により、構成メッセージは、システム情報ブロック（system information block、SIB）、RRC再構成メッセージ、RRC接続確立メッセージ、RRC接続再確立メッセージ、接続再開メッセージ、接続解放メッセージ、または接続中断メッセージなどのメッセージであり得る。
【０１４８】
例えば、第2のTATのものであり、非同期送信のためのTAを管理するために使用される持続時間を指示するために、timeAlignmentTimer2が構成メッセージに追加される。
−TAG：：＝SEQUENCE｛
tag−Id TAG−Id，
timeAlignmentTimer1 TimeAlignmentTimer，
timeAlignmentTimer2 TimeAlignmentTimer，
．．．
｝
【０１４９】
場合により、TATが第1のTATと第2のTATとを含む場合、構成情報が、以下の情報、すなわち、
アップリンクデータを非同期的に送信するために使用されるリソース情報、アップリンクデータを非同期的に送信するために使用されるハイブリッド自動再送要求HARQプロセス情報、アップリンクデータを同期的に送信するために使用されるリソース情報、アップリンクデータを同期的に送信するために使用されるHARQプロセス情報、非同期送信のためのpreambleコード、およびpreambleを送信するために使用される時間−周波数リソース
のうちの1つまたは複数のタイプをさらに含む。
【０１５０】
アップリンクデータを非同期的または同期的に送信するために使用されるリソース情報は、周波数領域リソース、時間領域リソース、および符号リソースのうちの1つまたは複数を含むことを理解されたい。
【０１５１】
場合により、第1のTATが切れたときに、端末デバイスは、TATに対応するTAGに含まれるセルでアップリンクデータを同期的に送信することを停止し、端末デバイスは、アップリンクデータを送信するために使用されるハイブリッド自動再送要求HARQプロセスにおけるデータおよびセルでアップリンクデータを同期的に送信するために使用されるリソースをクリアし、初期送信または再送信のために非同期送信を有効にすることができる、または第1のTATが切れたときに、端末デバイスは、セルでアップリンクデータを送信するために使用されるハイブリッド自動再送要求HARQプロセスにおけるデータをクリアせず、HARQにバッファリングされたデータを非同期的に送信することができる。
【０１５２】
場合により、端末デバイスのプライマリタイミングアドバンスグループ（Primary Timing Advance Group、PTAG）の第1のTATが切れたときに、端末デバイスのすべてのサービングセルについて、非同期ではない送信のためのHARQプロセスでバッファリングされたデータがクリアされ、アップリンクデータを非同期ではなく送信するためのリソースが削除される。
【０１５３】
場合により、端末デバイスのセカンダリタイミングアドバンスグループ（Secondary Timing Advance Group、STAG）の第1のTATが切れたときに、端末デバイスのSTAGに属するサービングセルについて、非同期ではない送信のためのHARQプロセスでバッファリングされたデータがクリアされ、アップリンクデータを非同期ではなく送信するためのリソースが削除される。
【０１５４】
端末デバイスは、異なるタイミングアドバンスグループに配置され得ることを理解されたい。タイミングアドバンスグループ（Timing Advance Group、TAG）は、アップリンクで構成されたサービングセルのグループであり、サービングセルは、同じタイミング参照セルおよび同じタイミングアドバンス値TAを使用する。特殊セル（Special Cell、SpCell）を含むTAGはプライマリTAGと呼ばれ、非Spcellセルを含むTAGはセカンダリTAGと呼ばれる。プライマリTAGは、プライマリセル（Primary Cell、PCell）またはプライマリセカンダリセル（Primary Secondary cell、PSCell）を含む。
【０１５５】
場合により、第2のTATの実行中に、アップリンク送信は、第2のTATに対応するTAG内のセルにおいて非同期送信に使用されるリソースに対して実行される。例えば、第2のTATに対応するTAGのセルでは、すべてのHARQプロセスにおけるデータが非同期で送信される。この場合では、再送信されるデータもしくは最初に送信されるデータは非同期的に送信される、または非同期送信に使用されるHARQプロセスのデータが非同期的に送信される。
【０１５６】
場合により、端末デバイスは、維持されたTA値を使用することにより、またはTA＝0を使用することによりアップリンクデータを非同期的に送信することができる。
【０１５７】
場合により、第2のTATが切れたときに、端末デバイスは、すべてのアップリンクデータ送信を停止し、アップリンクデータを非同期的に送信するために使用されるハイブリッド自動再送要求HARQプロセスにおけるデータおよびアップリンクデータを非同期的に送信するために使用されるリソースをクリアする。
【０１５８】
場合により、第2のTATが切れたときに、端末デバイスは、すべてのアップリンクデータ送信を停止し、アップリンクデータを送信するために使用されるすべてのハイブリッド自動再送要求HARQプロセスにおけるデータおよびすべてのリソースをクリアする。
【０１５９】
場合により、TATが第1のTATと第2のTATとを含む場合、端末デバイスがネットワークデバイスによって送信されたタイミングアドバンスTAを受信すると、TAに対応するTAGに関連付けられた第1のTATおよび第2のTATが開始または再開される、または換言すれば、第1のTATおよび第2のTATが同時に実行され始める。端末デバイスは、第1のTATが実行されているときにアップリンクデータを同期的に送信する、または端末デバイスは、第1のTATが実行されておらず、第2のTATが実行されているときに、アップリンクデータを非同期的に送信する、または端末デバイスは、第1のTATも第2のTATも実行されていない場合、アップリンクデータを送信することを停止する。
【０１６０】
場合により、第1のTATのタイミング持続時間は第2のTATのタイミング持続時間とは異なる。例えば、第1のTATのタイミング持続時間は、第2のTATのタイミング持続時間未満である。
【０１６１】
場合により、端末デバイスの最大TA差が第1の閾値以上かつ第2の閾値以下である場合、セカンダリセルが配置されているTAGのTATが切れたと判定され、アップリンクデータがセカンダリセルに非同期的に送信され、最大TA差が、端末デバイスのTAGのうちの任意の2つのTA間の最大差であり、セカンダリセルが任意の2つのTAGのうちの一方に属する、
端末デバイスの最大TA差が第2の閾値よりも大きい場合、端末デバイスはアップリンクデータをセカンダリセルに送信することを停止する、または
端末デバイスの最大TA差が第3の閾値よりも大きい場合、セカンダリセルが配置されているTAGのTATが切れたと判定され、アップリンクデータがセカンダリセルに非同期的に送信され、最大TA差が、端末デバイスのTAGのうちの任意の2つのTA間の最大差であり、セカンダリセルが任意の2つのTAGのうちの一方に属する。
【０１６２】
端末デバイスの最大TA差が第1の閾値以上かつ第2の閾値以下である場合、セカンダリセルが配置されているTAGのTATが切れたと判定され、アップリンクデータがセカンダリセルに非同期的に送信される。具体的には、端末デバイスの第1のTAGのTAと端末デバイスの第2のTAGのTAとの差が第1の閾値以上かつ第2の閾値以下である場合、第1のTAGのTATが切れたと判定され、アップリンクデータがセカンダリセルに非同期的に送信される。第1のTAGは、セカンダリセルが配置されているTAGであり、第2のTAGは、端末のTAGにおける最小または最大のTA値を有するTAGである。
【０１６３】
端末デバイスの最大TA差が第3の閾値よりも大きい場合、セカンダリセルが配置されているTAGのTATが切れたと判定され、アップリンクデータがセカンダリセルに非同期的に送信される。具体的には、端末デバイスの第1のTAGのTAと端末デバイスの第2のTAGのTAとの差が第3の閾値よりも大きい場合、第1のTAGのTATが切れたと判定され、アップリンクデータがセカンダリセルに非同期的に送信される。第1のTAGは、セカンダリセルが配置されているTAGであり、第2のTAGは、端末のTAGにおける最小または最大のTA値を有するTAGである。
【０１６４】
具体的には、最大TA差に対して2つの閾値、例えば第1の閾値および第2の閾値が設定され得、セカンダリセルが配置されているTAGのTATが切れているか否かは、最大TA差と第1の閾値および第2の閾値との間の関係に基づいて判定される。最大TA差が第1の閾値未満である場合、セカンダリセルが配置されているTAGのTATが切れていないと判定され、端末デバイスは、アップリンクデータをセカンダリセルに同期的に送信する、または最大TA差が第1の閾値以上かつ第2の閾値以下である場合、セカンダリセルが配置されているTAGのTATが切れていると判定され、アップリンクデータがセカンダリセルに非同期的に送信される、または最大TA差が第2の閾値よりも大きい場合、端末デバイスはアップリンクデータをセカンダリセルに送信することを停止する。
【０１６５】
最大TA差に対して閾値、例えば第3の閾値がさらに設定され得、セカンダリセルが配置されているTAGのTATが切れているか否かは、最大TA差と第3の閾値との間の関係に基づいて判定される。最大TA差が第3の閾値以下である場合、セカンダリセルが配置されているTAGのTATは切れていないと判定され、端末デバイスはアップリンクデータをセカンダリセルに同期的に送信する、または最大TA差が第3の閾値よりも大きい場合、セカンダリセルが配置されているTAGのTATが切れたと判定され、アップリンクデータがセカンダリセルに非同期的に送信される。
【０１６６】
上述の第1、第2、および第3の閾値は、記述されたオブジェクトを区別するために単に使用され、相対的な重要性を示すまたは暗示する、またはシーケンスを示すまたは暗示するとして理解されることはできず、これらの閾値の値は限定されない。例えば、第3の閾値は、第1の閾値または第2の閾値と等しくてもよいし、第1の閾値または第2の閾値と等しくなくてもよい。
【０１６７】
本出願では、最大TA差が閾値に等しい場合、端末デバイスがアップリンクデータをセカンダリセルに送信する送信方式は制限されないことを理解されたい。例えば、第3の閾値が最大TA差に設定されている場合、最大TA差が第3の閾値未満である場合、端末デバイスがアップリンクデータをセカンダリセルに同期的に送信すると判定される、または最大TA差が第3の閾値以上である場合、端末デバイスがアップリンクデータをセカンダリセルに非同期的に送信すると判定される。換言すれば、最大TA差が第3の閾値未満である場合、端末デバイスはアップリンクデータをセカンダリセルに同期的に送信する、または最大TA差が第3の閾値よりも大きい場合、端末デバイスはアップリンクデータをセカンダリセルに非同期的に送信する、または最大TA差が第3の閾値に等しい場合、端末デバイスはアップリンクデータをセカンダリセルに非同期的または同期的に送信することができる。
【０１６８】
最大TA差は、端末デバイスのTAGのうちの任意の2つのTA間の最大差である。例えば、ネットワークデバイスは端末デバイスのためにTAG1〜TAG5を構成し、TAG1はセカンダリセルが配置されているTAGである。この場合では、TAG1のTAは、TAG2〜TAG5の維持されたTAと個別に比較され、TA間の最大差が最大TA差である。
【０１６９】
TA差は、端末デバイスの2つのTAGのアップリンク送信タイミング差であることが理解されよう。図3に示されるように、図3に示されるTA値NTAは、TAGにおけるセルのアップリンクフレームとダウンリンクフレームとの間のタイミング差を表す。NTAは、端末デバイスによって維持されたTAGのTA値であり、NTA，Offsetは、ネットワークデバイスによって送信されたTAコマンドによって指示されるタイミング調整オフセットであり、Tcは、時間単位、例えばマイクロ秒である。
【０１７０】
場合により、端末デバイスがソースセルの代わりにターゲットセルを再選択した場合、端末デバイス上で実行されている第1のTATまたは第2のTATが停止され、第1のTATまたは第2のTATがソースセルにおいて開始される。
【０１７１】
具体的には、アイドルモードまたは非アクティブモードの端末デバイスが、ソースセルの代わりにターゲットセルを再選択すると、再選択されたターゲットセルの第3のTATまたは第4のTATが取得され得る。第3のTATまたは第4のTATは、端末デバイスがキャンプするサービングセルを読み取ることによってブロードキャストおよび指示されてもよいし、接続解放／再開メッセージなどの上位層メッセージを使用することによって指示されてもよい。第3のTATが、ターゲットセルにおける同期送信のためのアップリンクタイミングアドバンスの有効時間を制御するために使用され、第4のTATが、ターゲットセルにおける非同期送信のためのアップリンクタイミングアドバンスの有効時間を制御するために使用される。ターゲットセルとソースセルとは異なるTATグループに属していてもよい、つまり、第1のTATのタイミング持続時間が第3のTATのタイミング持続時間とは等しくない、または第2のTATのタイミング持続時間が第3のTATのタイミング持続時間と等しくない、またはターゲットセルとソースセルとのフレームタイミングが整列されていないのであってもよい。したがって、端末デバイスがソースセルの代わりにターゲットセルを再選択した場合、通信品質を確保するために、端末デバイス上で実行されている第2のTATまたは第1のTATが停止される必要がある。
【０１７２】
場合により、端末デバイスが、ソースセルの代わりにターゲットセルを再選択した場合、端末デバイスは、ソースセルとターゲットセルとが同じTATグループに属していると判定し、ソースセルとターゲットセルとが同じTATグループに属している場合、端末デバイスは、ソースセルのTATをターゲットセルにおいて使用することを判定する。同じTATグループは、同じTATに対応する1つまたは複数のセルとして理解され得る。
【０１７３】
場合により、端末デバイスがソースセルの代わりにターゲットセルを再選択した場合、端末デバイスは、ソースセルまたはターゲットセルによって送信された指示情報に基づいて、ソースセルとターゲットセルとが同じTATが適用されるセルに属すると判定する。
【０１７４】
場合により、ソースセルとターゲットセルとが同じTATグループに属している場合、端末はソースセルで開始されたTATを実行し続けることができる。
【０１７５】
具体的には、アイドルモードまたは非アクティブモードの端末デバイスが、ソースセルの代わりにターゲットセルを再選択した場合、端末デバイスは、ソースセルとターゲットセルとが同じTATグループに属していると判定し、ソースセルとターゲットセルとが同じTATグループに属している場合、端末デバイスは、ソースセルのTATをターゲットセルにおいて使用することを判定する。例えば、端末デバイスは、ソースセルの第1のTATまたは第2のTATを使用する。端末デバイスがターゲットセルにハンドオーバされるとき、ソースセルとターゲットセルとが同じTATグループに属している場合、端末デバイスはターゲットセルにおいて第1のTATまたは第2のTATを依然として使用する。
【０１７６】
場合により、ネットワークデバイスは、セルもしくはRNA無線ネットワークエリア識別子、または第1のTATおよび第2のTATに適用可能な追跡エリア識別子などのリストメッセージを指示する。ネットワークデバイスは、セルまたはRNAのために構成されたTAT持続時間を交換することができる。ターゲットセルを再選択した後、端末デバイスは、ターゲットセルと前回TAコマンドを受信したソースセルとが同じTATに属しているか否かを判定する。ターゲットセルと前回TAコマンドを受信したソースセルとが同じTATに属している場合、第1のTATまたは第2のTATが引き続き実行される。ターゲットセルと前回TAコマンドを受信したソースセルとが同じTATに属していない場合、第1のTATまたは第2のTATは停止される。
【０１７７】
場合により、アップリンクデータは、第1のTATが切れているか実行されていないときに非同期的に送信され、第1のTATがソースセルで開始される、または第2のTATが実行されているとき、アップリンクデータが非同期的に送信され、第2のTATがソースセルで開始される。
【０１７８】
具体的には、ソースセルとターゲットセルとが同じTATグループに属する場合、ソースセルのTATがターゲットセルにおいて使用されると判定され、ターゲットセルでは、端末デバイスはソースセルで構成された第1のTATおよび／または第2のTATを依然として使用する。端末デバイスがソースセルで第1のTATを構成する場合、端末デバイスは、第1のTATがターゲットセルで実行されているときにアップリンクデータを同期的に送信する、または端末デバイスは、第1のTATが実行されていないか切れたときに、アップリンクデータを非同期的に送信する、または端末デバイスがソースセルで第1のTATおよび第2のTATを構成する場合、端末デバイスは、第1のTATがターゲットセルで実行されているときにアップリンクデータを同期的に送信する、または第1のTATが実行されておらず、第2のTATが実行されているときに、端末デバイスがアップリンクデータを非同期的に送信する、または端末デバイスは、第1のTATおよび第2のTATが実行されていない場合、アップリンクデータを送信することを停止する。
【０１７９】
場合により、ターゲットセルのネットワークデバイスによって送信されたTAが受信されると、第2のTATが停止され、ターゲットセルの第3のTATが開始され、第3のTATが、非同期送信のためのアップリンクタイミングアドバンスの有効時間を制御するために使用され、ターゲットセルの第3のTATが実行されると、アップリンクデータが非同期的に送信される。
【０１８０】
場合により、ソースセルの第2のTATが切れていないことを判定するための方法は、ソースセルの第2のTATのタイミング持続時間がターゲットセルの第4のTATのタイミング持続時間未満である場合、ソースセルの第2のTATが切れていないと判定するステップ、またはターゲットセルの第4のTATのタイミング持続時間が、ソースセルの第2のTATの現在のタイミング値よりも大きい場合、ソースセルの第2のTATが切れていないと判定するステップを含み得る。
【０１８１】
具体的には、端末デバイスがソースセルの代わりにターゲットセルを再選択した場合、ターゲットセルとソースセルとが同じTATグループに属する場合、端末デバイスは、ソースセルの第2のTATをターゲットセルにおいて使用することができ、第2のTATが切れていない場合、端末デバイスはアップリンクデータを非同期的に送信する。次の2つの実装形態では、第2のTATが切れていないと判定され得る。1つの実施形態では、ソースセルの第2のTATのタイミング持続時間が、ターゲットセルの第4のTATのタイミング持続時間未満である場合、ソースセルの第2のTATが切れていないと判定される。例えば、ソースセルの第2のTATのタイミング持続時間は10秒であり、ターゲットセルの第4のTATのタイミング持続時間は15秒である。ソースセルの第2のTATのタイミング持続時間10秒が、ターゲットセルの第4のTATのタイミング持続時間15秒未満であるため、ソースセルの第2のTATが切れていないと判定される。別の実施形態では、ターゲットセルの第4のTATのタイミング持続時間が、ソースセルの第2のTATの現在のタイミング値よりも大きい場合、ソースセルの第2のTATが切れていないと判定される。例えば、ターゲットセルの第4のTATのタイミング持続時間は15秒であり、ソースセルの第2のTATの現在のタイミング値は8秒である。ターゲットセルの第4のTATのタイミング持続時間15秒が、ソースセルの第2のTATの現在のタイミング値8秒よりも大きいため、ソースセルの第2のTATが切れていないと判定される。
【０１８２】
場合により、端末デバイスが配置されているソースセルは、ターゲットセルからのダウンリンクタイミングオフセット差を指示し得る、または端末デバイスが配置されているターゲットセルは、ソースセルからのダウンリンクタイミングオフセット差を指示し得る。端末デバイスがターゲットセルを再選択した後、ターゲットセルのTA値が、ソースセルによって維持されるTA値およびダウンリンクタイミングオフセット差に基づいて判定され、ターゲットセルのTA値が、同期または非同期送信中に使用され得る。
【０１８３】
場合により、端末デバイスが、プロトコルにおいて合意された方式で第2のTATのタイミング持続時間をさらに判定し得る。
【０１８４】
場合により、ステップ220において端末デバイスがTAT構成情報を受信することは、端末デバイスがブロードキャストメッセージを受信することであって、ブロードキャストメッセージがTAT構成情報を含み、TAT構成情報が第1のTATと第2のTATとを含む、ことと、端末デバイスが、端末デバイスの能力に基づいて、第1のTATまたは第2のTATを使用するためのタイミング持続時間を判定することとを含む。
【０１８５】
具体的には、ネットワークデバイスは、ブロードキャストメッセージをセル内の端末デバイスに送信することができる。端末デバイスは、ネットワークデバイスによって送信されたブロードキャストメッセージを受信し、ブロードキャストメッセージは、第1のTATと第2のTATとを含む。端末デバイスは、端末デバイスが同期送信と非同期送信とのどちらを実行し得るかに基づいて、第1のTATを使用するか第2のTATを使用するかを判定することができる。端末デバイスが同期送信をサポートしている場合、端末デバイスは第1のTATを使用することを判定する、または端末デバイスが非同期送信または非直交多元接続送信をサポートしている場合、端末デバイスは第2のTATを使用することを判定する。
【０１８６】
非接続モードの端末の場合、ネットワークで同期送信構成と非同期送信構成とのどちらを使用するかが明示的に指示されていない場合、端末は端末の能力に基づいて非同期送信をサポートし、端末によって使用される第2のTATが切れていない場合は非同期的にデータを送信する。
【０１８７】
場合により、ステップ220において端末デバイスがTAT構成情報を受信することは、端末デバイスがブロードキャストメッセージを受信することであって、ブロードキャストメッセージが第1のTATを含む、ことと、端末デバイスが、第1のTATを使用するタイミング持続時間を判定することとを含む。
【０１８８】
非接続モードの端末デバイスが非同期送信をサポートしている場合、第1のTATの期限が切れた後に非同期送信が実行され得る。
【０１８９】
場合により、方法200は、端末デバイスが、ハンドオーバコマンド、接続再構成メッセージ、接続解放メッセージ、接続再開メッセージ、接続再確立メッセージ、パケットデータコンバージェンスプロトコル（Packet Data Convergence Protocol、PDCP）制御シグナリング、MACシグナリング、または物理層シグナリングなどのメッセージから同期または非同期送信に使用される指示情報を受信し、アップリンクデータを送信する方式を判定することをさらに含む。
【０１９０】
具体的には、ネットワークデバイスによって送信されるハンドオーバコマンド、接続再構成メッセージ、接続解放メッセージ、接続再開メッセージ、接続再確立メッセージ、PDCP制御シグナリング、MACシグナリング、または物理層シグナリングなどのメッセージは指示情報を含むことができ、指示情報は、端末デバイスによってアップリンクデータを送信する方式を指示するために使用される。端末デバイスは、受信された指示情報に従って、アップリンクデータを送信する方式を判定する。
【０１９１】
例えば、ハンドオーバコマンドは、ターゲットセルでアップリンクデータを非同期的に送信するか否かを端末デバイスに命令する。アップリンクデータは、ハンドオーバ完了メッセージなどであり得る。
【０１９２】
例えば、キャリアアグリゲーションまたはデュアル接続によりセカンダリセルが追加されると、端末デバイスは、追加されたセカンダリセルにアップリンクデータを非同期的に送信するか否かを命令される。アップリンクデータは、再構成完了メッセージなどであり得る。好ましくは、セカンダリセルは、現在実行中のTATのTAGに属さない。
【０１９３】
場合により、非アクティブモードと接続モードとのどちらの端末デバイスが非同期送信をサポートするかの能力がネットワークデバイスに報告され得る。
【０１９４】
場合により、端末デバイスは、同期または非同期送信に使用され、ハンドオーバコマンドまたは接続再構成メッセージから受信される指示情報および端末デバイスの能力に基づいて、アップリンクデータを送信する方式を判定する。
【０１９５】
具体的には、端末デバイスは、ネットワークデバイスによって送信された指示情報と端末デバイスの能力とに基づいて、アップリンクデータを送信する方式を判定する。例えば、端末デバイスが非同期送信を実行することを指示情報が指示しているが、端末デバイスがアップリンクデータの非同期送信をサポートしていない場合、端末デバイスはアップリンクデータを同期的に送信する。別の例では、端末デバイスが非同期送信を実行することを指示情報が指示し、端末デバイスがアップリンクデータの非同期送信をサポートする場合、端末デバイスはアップリンクデータを非同期的に送信する。
【０１９６】
場合により、方法200は、端末デバイスが、ダウンリンクデータのものであり、かつネットワークデバイスによって指示される送信時間と端末デバイスによってダウンリンクデータを受信する受信時間とに基づいてダウンリンク送信遅延を判定し、ダウンリンク送信遅延に基づいてアップリンクタイミングアドバンスTAを判定することをさらに含む。
【０１９７】
例えば、ネットワークデバイスは、瞬間T1において無線フレーム1のデータを送信し、無線フレーム1のデータは、ネットワークデバイスが無線フレーム1を送信する瞬間T1を含む。端末デバイスは、瞬間T2においてシステムフレーム番号SFN1を受信し、ダウンリンク送信遅延はT2−T1である。アップリンクの送信遅延とダウンリンクの送信遅延との間の差は比較的小さいと想定されている。この場合では、端末デバイスは、ダウンリンク送信遅延に基づいて、アップリンク送信遅延およびラウンドトリップ遅延を推定する。例えば、アップリンク送信遅延がT2−T1であると端末デバイスが判定した場合、ラウンドトリップ遅延は2＊（T2−T1）である。端末デバイスは、ラウンドトリップ遅延を使用することにより、アップリンクフレームのタイミングアドバンスTAを判定する。
【０１９８】
この場合では、端末デバイスが、ダウンリンクデータのものであり、かつネットワークデバイスによって指示される送信時間と端末デバイスによってダウンリンクデータを受信する受信時間とに基づいてダウンリンク送信遅延を判定し、ダウンリンク送信遅延に基づいてアップリンクタイミングアドバンスTAを判定する。端末デバイスは、送信遅延に基づいてTAを推定し、ネットワークデバイスに完全に依存することなくTAを調整することができ、それにより、CP範囲内で端末デバイスのアップリンク送信タイミングを制御する精度を可能な限り改善し、ネットワークデバイスの検出の複雑さを軽減する。
【０１９９】
第1のTATに基づいて同期送信を実行する場合、端末デバイスは、端末デバイスによって判定されたTAを使用することができ、第2のTATに基づいて非同期送信を行う場合、端末デバイスはまた、端末デバイスによって判定されたTAを使用することができることを理解されたい。
【０２００】
場合により、本方法は、端末デバイスが、判定されたアップリンクタイミングアドバンスに基づいてアップリンク送信タイミングを調整し、アップリンクデータをネットワークデバイスに同期的もしくは非同期に送信する、または
アップリンクタイミングアドバンスが事前定義された閾値を超えたときに、アップリンクデータを非同期的に送信する、または
アップリンクタイミングアドバンスが事前定義された閾値を超えない場合に、アップリンクデータを同期的に送信することをさらに含む。
【０２０１】
具体的には、端末デバイスは、判定されたアップリンクタイミングアドバンスに基づいてアップリンク送信タイミングを調整するときに、アップリンクデータをネットワークデバイスに同期的に送信する、または端末デバイスは、アップリンク送信タイミングを調整せず、判定されたアップリンクタイミングアドバンスおよび事前定義された閾値に基づいて、アップリンクデータを送信する方式を判定する。判定されたアップリンクタイミングアドバンスが事前定義された閾値を超える場合、アップリンクデータが非同期的に送信される、または判定されたアップリンクタイミングアドバンスが事前定義された閾値を超えない場合、アップリンクデータが同期的に送信される。
【０２０２】
場合により、端末デバイスは、ネットワークデバイスの構成情報を受信し、構成情報が、判定されたアップリンクタイミングアドバンスTAを使用することによりタイミング調整を実行するように端末に指示する。
【０２０３】
具体的には、ネットワークデバイスは、端末がタイミング調整をサポートする能力に基づいて、その機能を有効にするように端末デバイスを構成する。
【０２０４】
この場合では、端末デバイスは、判定されたアップリンクタイミングアドバンスに基づいて、アップリンクデータを送信する方式を判定し、これにより、端末デバイスは、アップリンクデータを同期的または非同期的に送信することができる。
【０２０５】
以下は、本出願で提供される別の無線通信方法である。本方法は、図1に示されるシナリオに適用され得、当然のことながら、別の通信シナリオにも適用され得る。このことは、本出願の本実施形態において限定されない。
【０２０６】
本方法は、端末デバイスの最大TA差が第1の閾値以上かつ第2の閾値以下である場合、セカンダリセルが配置されているTAGのTATが切れたことを判定し、アップリンクデータをセカンダリセルに非同期的に送信するステップであって、最大TA差が、端末デバイスのTAGのうちの任意の2つのTA間の最大差であり、セカンダリセルが任意の2つのTAGのうちの一方に属する、ステップ、または
端末デバイスの最大TA差が第3の閾値よりも大きい場合、セカンダリセルが配置されているTAGのTATが切れたことを判定し、アップリンクデータをセカンダリセルに非同期的に送信するステップであって、最大TA差が、端末デバイスのTAGのうちの任意の2つのTA間の最大差であり、セカンダリセルが任意の2つのTAGのうちの一方に属する、ステップ
を含む。
【０２０７】
したがって、本出願の本実施形態では、端末デバイスの最大TA差が第1の閾値以上かつ第2の閾値以下である場合、または端末デバイスの最大TA差が第3の閾値よりも大きい場合、セカンダリセルが配置されているTAGのTATが切れたと判定され、アップリンクデータがセカンダリセルに非同期的に送信され、これにより、端末デバイスはアップリンクデータを非同期的に送信する。
【０２０８】
端末デバイスの最大TA差が第1の閾値以上かつ第2の閾値以下である場合、セカンダリセルが配置されているTAGのTATが切れたと判定され、アップリンクデータがセカンダリセルに非同期的に送信される。具体的には、端末デバイスの第1のTAGのTAと端末デバイスの第2のTAGのTAとの差が第1の閾値以上かつ第2の閾値以下である場合、第1のTAGのTATが切れたと判定され、アップリンクデータがセカンダリセルに非同期的に送信される。第1のTAGは、セカンダリセルが配置されているTAGであり、第2のTAGは、端末のTAGにおける最小のTA値を有するTAGである。
【０２０９】
端末デバイスの最大TA差が第3の閾値よりも大きい場合、セカンダリセルが配置されているTAGのTATが切れたと判定され、アップリンクデータがセカンダリセルに非同期的に送信される。具体的には、端末デバイスの第1のTAGのTAと端末デバイスの第2のTAGのTAとの差が第3の閾値よりも大きい場合、第1のTAGのTATが切れたと判定され、アップリンクデータがセカンダリセルに非同期的に送信される。第1のTAGは、セカンダリセルが配置されているTAGであり、第2のTAGは、端末のTAGにおける最小のTA値を有するTAGである。
【０２１０】
具体的には、最大TA差に対して2つの閾値、例えば第1の閾値および第2の閾値が設定され得、セカンダリセルが配置されているTAGのTATが切れているか否かは、最大TA差と第1の閾値および第2の閾値との間の関係に基づいて判定される。最大TA差が第1の閾値未満である場合、セカンダリセルが配置されているTAGのTATが切れていないと判定され、端末デバイスは、アップリンクデータをセカンダリセルに同期的に送信する、または最大TA差が第1の閾値以上かつ第2の閾値以下である場合、セカンダリセルが配置されているTAGのTATが切れていると判定され、アップリンクデータがセカンダリセルに非同期的に送信される、または最大TA差が第2の閾値よりも大きい場合、端末デバイスはアップリンクデータをセカンダリセルに送信することを停止する。
【０２１１】
最大TA差に対して閾値、例えば第3の閾値がさらに設定され得、セカンダリセルが配置されているTAGのTATが切れているか否かは、最大TA差と第3の閾値との間の関係に基づいて判定される。最大TA差が第3の閾値以下である場合、セカンダリセルが配置されているTAGのTATは切れていないと判定され、端末デバイスはアップリンクデータをセカンダリセルに同期的に送信する、または最大TA差が第3の閾値よりも大きい場合、セカンダリセルが配置されているTAGのTATが切れたと判定され、アップリンクデータがセカンダリセルに非同期的に送信される。
【０２１２】
最大TA差は、端末デバイスのTAGのうちの任意の2つのTA間の最大差である。例えば、ネットワークデバイスは端末デバイスのためにTAG1〜TAG5を構成し、TAG1はセカンダリセルが配置されているTAGである。この場合では、TAG1のTAは、TAG2〜TAG5のTAと個別に比較され、TA間の最大差が最大TA差である。
【０２１３】
TA差は、端末デバイスの2つのTAGのアップリンク送信タイミング差であることが理解されよう。図3に示されるように、本明細書におけるTA値NTAは、TAGにおけるセルのアップリンクフレームとダウンリンクフレームとの間のタイミング差を表す。
【０２１４】
場合により、セカンダリセルが配置されているTAGのTATが切れたと判定すると、端末デバイスはアップリンクデータをセカンダリセルに同期的に送信することを停止し、端末デバイスは、アップリンクデータを同期的に送信するために使用されるハイブリッド自動再送要求HARQプロセスにおけるデータおよびアップリンクデータを同期的に送信するために使用されるリソースをクリアし、初期送信または再送信のための非同期送信を有効にすることができる、またはセカンダリセルが配置されているTAGのTATが切れたと判定すると、端末デバイスは、アップリンクデータを同期的に送信するために使用されるハイブリッド自動再送要求HARQプロセスにおけるデータをクリアせず、HARQにバッファリングされたデータを非同期的に送信することができる。
【０２１５】
場合により、第1の閾値、第2の閾値、および第3の閾値は、プロトコルで合意され得る、またはネットワークデバイスによって構成され得る。
【０２１６】
図4を参照して、以下、本出願で提供される別の無線通信方法300を詳細に説明する。図4は、本出願の一実施形態による無線通信方法300の概略的な流れ図である。方法300は、図1に示されるシナリオに適用され得、当然のことながら、別の通信シナリオにも適用され得る。このことは、本出願の本実施形態において限定されない。
【０２１７】
ステップ310において、ネットワークデバイスが指示情報を端末デバイスに送信し、指示情報は、端末デバイスにアップリンクデータを非同期的または同期的に送信することを指示するために使用される。
【０２１８】
ステップ320において、端末デバイスは、ネットワークデバイスによって送信された指示情報を受信する。
【０２１９】
ステップ330において、端末デバイスは、指示情報に基づいて、アップリンクデータを送信する方式を判定する。
【０２２０】
場合により、指示情報は、ハンドオーバコマンド、接続再構成メッセージ、接続解放メッセージ、接続再開メッセージ、接続再確立メッセージ、PDCP制御シグナリング、MACシグナリング、または物理層シグナリングなどの、ネットワークデバイスによって端末デバイスに送信されるメッセージで運ばれ得る。
【０２２１】
具体的には、ネットワークデバイスによって送信されるハンドオーバコマンド、接続再構成メッセージ、接続再開メッセージ、接続再確立メッセージ、PDCP制御シグナリング、MACシグナリング、または物理層シグナリングなどのメッセージは指示情報を含むことができ、指示情報は、端末デバイスによってアップリンクデータを送信する方式を指示するために使用される。端末デバイスは、受信された指示情報に従って、アップリンクデータを送信する方式を判定する。
【０２２２】
例えば、ハンドオーバコマンドは、ターゲットセルでアップリンクデータを非同期的に送信するか否かを端末デバイスに命令する。アップリンクデータは、ハンドオーバ完了メッセージなどであり得る。
【０２２３】
例えば、キャリアアグリゲーションまたはデュアル接続によりセカンダリセルが追加されると、端末デバイスは、追加されたセカンダリセルにアップリンクデータを非同期的に送信するか否かを命令される。アップリンクデータは、再構成完了メッセージなどであり得る。好ましくは、セカンダリセルは、現在実行中のTATのTAGに属さない。
【０２２４】
場合により、非アクティブモードと接続モードとのどちらの端末デバイスが非同期送信をサポートするかの能力がネットワークデバイスに報告され得る。
【０２２５】
場合により、端末デバイスは、指示情報と端末デバイスの能力とに基づいて、アップリンクデータを送信する方式を判定する。
【０２２６】
具体的には、端末デバイスは、ネットワークデバイスによって送信された指示情報と端末デバイスの能力とに基づいて、アップリンクデータを送信する方式を判定する。例えば、端末デバイスが非同期送信を実行することを指示情報が指示しているが、端末デバイスがアップリンクデータの非同期送信をサポートしていない場合、端末デバイスはアップリンクデータを同期的に送信する。別の例では、端末デバイスが非同期送信を実行することを指示情報が指示し、端末デバイスがアップリンクデータの非同期送信をサポートする場合、端末デバイスはアップリンクデータを非同期的に送信する。
【０２２７】
図5を参照して、以下、本出願で提供される別の無線通信方法400を詳細に説明する。図5は、本出願の一実施形態による無線通信方法400の概略的な流れ図である。方法400は、図1に示されるシナリオに適用され得、当然のことながら、別の通信シナリオにも適用され得る。このことは、本出願の本実施形態において限定されない。
【０２２８】
ステップ410において、端末デバイスが、ダウンリンクデータのものであり、かつネットワークデバイスによって指示される送信時間と端末デバイスによってダウンリンクデータを受信する受信時間とに基づいてダウンリンク送信遅延を判定する。
【０２２９】
ステップ420において、端末デバイスは、ダウンリンク送信遅延に基づいてアップリンクタイミングアドバンスTAを判定する。
【０２３０】
例えば、ネットワークデバイスは、瞬間T1において無線フレーム1のデータを送信し、無線フレーム1のデータは、ネットワークデバイスが無線フレーム1を送信する瞬間T1を含む。端末デバイスは、瞬間T2においてシステムフレーム番号SFN1を受信し、ダウンリンク送信遅延はT2−T1である。アップリンクの送信遅延とダウンリンクの送信遅延との間の差は比較的小さいと想定されている。この場合では、端末デバイスは、ダウンリンク送信遅延に基づいて、アップリンク送信遅延およびラウンドトリップ遅延を推定する。例えば、アップリンク送信遅延がT2−T1であると端末デバイスが判定した場合、ラウンドトリップ遅延は2＊（T2−T1）である。端末デバイスは、ラウンドトリップ遅延を使用することにより、アップリンクフレームのタイミングアドバンスTAを判定する。
【０２３１】
この場合では、端末デバイスが、ダウンリンクデータのものであり、かつネットワークデバイスによって指示される送信時間と端末デバイスによってダウンリンクデータを受信する受信時間とに基づいてダウンリンク送信遅延を判定し、ダウンリンク送信遅延に基づいてアップリンクタイミングアドバンスTAを判定する。端末デバイスは、送信遅延に基づいてTAを推定し、ネットワークデバイスに完全に依存することなくTAを調整することができ、それにより、CP範囲内で端末デバイスのアップリンク送信タイミングを制御する精度を可能な限り改善し、ネットワークデバイスの検出の複雑さを軽減する。
【０２３２】
方法400は、方法200と組み合わされてもよいことを理解されたい。方法200において第1のTATに基づいて同期送信を実行する場合、端末デバイスは、端末デバイスによって判定されたTAを使用することができ、方法200において第2のTATに基づいて非同期送信を行う場合、端末デバイスはまた、端末デバイスによって判定されたTAを使用することができる。
【０２３３】
場合により、本方法は、端末デバイスが、判定されたアップリンクタイミングアドバンスに基づいてアップリンク送信タイミングを調整し、アップリンクデータをネットワークデバイスに同期的もしくは非同期に送信する、または
アップリンクタイミングアドバンスが事前定義された閾値を超えたときに、アップリンクデータを非同期的に送信する、または
アップリンクタイミングアドバンスが事前定義された閾値を超えない場合に、アップリンクデータを同期的に送信することをさらに含む。
【０２３４】
具体的には、端末デバイスは、判定されたアップリンクタイミングアドバンスに基づいてアップリンク送信タイミングを調整するときに、アップリンクデータをネットワークデバイスに同期的に送信する、または端末デバイスは、アップリンク送信タイミングを調整せず、判定されたアップリンクタイミングアドバンスおよび事前定義された閾値に基づいて、アップリンクデータを送信する方式を判定する。判定されたアップリンクタイミングアドバンスが事前定義された閾値を超える場合、アップリンクデータが非同期的に送信される、または判定されたアップリンクタイミングアドバンスが事前定義された閾値を超えない場合、アップリンクデータが同期的に送信される。
【０２３５】
場合により、端末デバイスは、ネットワークデバイスの構成情報を受信し、構成情報が、判定されたアップリンクタイミングアドバンスTAを使用することによりタイミング調整を実行するように端末に指示する。
【０２３６】
具体的には、ネットワークデバイスは、端末デバイスがタイミング調整をサポートする能力に基づいて、その機能を有効にするように端末デバイスを構成する。
【０２３７】
この場合では、端末デバイスは、判定されたアップリンクタイミングアドバンスに基づいて、アップリンクデータを送信する方式を判定し、これにより、端末デバイスは、アップリンクデータを同期的または非同期的に送信することができる。
【０２３８】
本出願では、端末は端末デバイスと呼ばれる場合もあることを理解されたい。
【０２３９】
本出願の一実施形態は、上述の方法のいずれか1つを実施するための装置をさらに提供する。例えば、上述の方法のいずれか1つにおける端末デバイスによって実行されるステップを実施するように構成されたユニット（または手段）を備える装置500が提供される。
【０２４０】
図6は、本出願で提供される通信装置500の概略的なブロック図である。図5に示されるように、通信装置500は、以下のユニット、すなわち、
ネットワークデバイスによって送信されたタイミングアドバンスタイマTAT構成情報を受信し、TAT構成情報が、TATの持続時間を構成するために使用される、ように構成された受信ユニット510と、
TAT構成情報に基づいてTATを構成するように構成された構成ユニット520と、
TATの実行ステータスに基づいてアップリンクデータを非同期的に送信するように構成された送信ユニット530と
を備える。
【０２４１】
装置500は、本方法の実施形態における端末デバイスに対応し、対応するユニットは、対応するステップを実行することを理解されたい。詳細については、対応する方法の実施形態を参照されたい。
【０２４２】
本出願の一実施形態は、上述の方法のいずれか1つを実施するための通信装置をさらに提供する。例えば、上述の方法のいずれか1つにおけるネットワークデバイスによって実行されるステップを実施するように構成されたユニット（または手段）を備える通信装置600が提供される。
【０２４３】
図7は、本出願で提供される通信装置600の概略的なブロック図である。図6に示されるように、装置600は、以下のユニット、すなわち、
タイミングアドバンスタイマTAT構成情報を端末デバイスに送信し、TAT構成情報が、TATの持続時間を構成するために端末デバイスによって使用される、ように構成される送信ユニット610と、
端末デバイスによって送信されたアップリンクデータを受信するように構成される受信ユニット620と
を備える。
【０２４４】
装置600は、本方法の実施形態におけるネットワークデバイスに対応し、対応するユニットは、対応するステップを実行することを理解されたい。詳細については、対応する方法の実施形態を参照されたい。
【０２４５】
上述の装置におけるユニットの分割は、単に論理的な機能の分割であることを理解されたい。実際の実装形態では、すべてまたは一部のユニットを1つの物理エンティティに統合することも、物理的に分離することもできる。加えて、本装置におけるすべてのユニットは、処理要素によって呼び出されるソフトウェアによって実施されてもよいし、すべてハードウェアによって実施されてもよいし、一部のユニットが処理要素によって呼び出されるソフトウェアによって実施され、一部のユニットがハードウェアによって実施されてもよい。例えば、各ユニットは、独立に配置された処理要素であってもよいし、実装のために装置のチップに統合されてもよい。加えて、ユニットは、プログラムの形態でメモリに代替的に格納されてもよく、装置の処理要素は、ユニットの機能を呼び出して実行する。加えて、すべてまたは一部のユニットが、一緒に一体化されてもよいし、独立に実装されてもよい。あるいは、本明細書の処理要素は、プロセッサであってもよく、信号処理機能を有する集積回路であり得る。実施プロセスにおいて、上述の方法のステップまたは上述のユニットは、プロセッサ要素内のハードウェアの集積論理回路を使用することにより実施されてもよいし、処理要素によって呼び出されるソフトウェアによって実施されてもよい。
【０２４６】
一例では、上述の装置のいずれか1つにおけるユニットは、上述の方法を実施するように構成された1つまたは複数の集積回路、例えば1つもしくは複数の特定用途向け集積回路（application−specific integrated circuit、ASIC）、または1つもしくは複数のマイクロプロセッサ（digital signal processor、DSP）、または1つもしくは複数のフィールドプログラマブルゲートアレイ（field programmable gate array、FPGA）、またはこれらの集積回路のうちの少なくとも2つの組み合わせであってもよい。別の例として、装置のユニットがプログラムを呼び出す処理要素によって実施される場合、処理要素は、汎用プロセッサ、例えば中央処理装置（central processing unit、CPU）またはプログラムを呼び出すことができる別のプロセッサであってもよい。別の例として、これらのユニットは一緒に統合され、システムオンチップ（system−on−a−chip、SOC）の形態で実装されてもよい。
【０２４７】
上記受信ユニットは、装置のインターフェース回路であり、別の装置からの信号を受信するように構成される。例えば、装置がチップの形態で実施される場合、受信ユニットは、チップのものであり、別のチップまたは装置からの信号を受信するように構成されるインターフェース回路である。上記送信ユニットは、装置のインターフェース回路であり、別の装置に信号を送信するように構成される。例えば、装置がチップの形態で実施される場合、送信ユニットは、チップのものであり、別のチップまたは装置に信号を送信するように構成されるインターフェース回路である。
【０２４８】
図8は、本出願の一実施形態による端末700の概略的な構成図である。端末700は、上述の実施形態における端末であり得、上述の実施形態における端末の動作を実施するように構成され得る。図7に示されるように、端末700は、アンテナ710と、無線周波数部720と、信号処理部730とを備え得る。アンテナ710は、無線周波数部720に接続される。ダウンリンク方向では、無線周波数部720は、アンテナ710を使用することにより、ネットワークデバイスによって送信された情報を受信し、ネットワークデバイスによって送信された情報を処理のための信号処理部730に送信する。アップリンク方向では、信号処理部730は、端末の情報を処理し、その情報を無線周波数部720に送信する。無線周波数部720は、端末の情報を処理し、次いでアンテナ710を使用することにより、処理された情報をネットワークデバイスに送信する。
【０２４９】
信号処理部730は、データの各通信プロトコル層を処理するように構成されたモデムサブシステムを備え得、端末のオペレーティングシステムおよびアプリケーション層を処理するように構成された中央処理サブシステムをさらに備え得る。加えて、信号処理部730は、マルチメディアサブシステムおよび周辺機器サブシステムなどの他のサブシステムをさらに備え得る。マルチメディアサブシステムは、端末のカメラを制御して画面に表示するように構成され、周辺機器サブシステムは、別のデバイスへの接続を実施するように構成される。モデムサブシステムは、独立に配置されたチップであってもよい。場合により、端末に使用される上述の装置は、モデムサブシステムに配置されてもよい。
【０２５０】
モデムサブシステムは、例えば主制御CPUおよび別の集積回路を含む、1つまたは複数の処理要素731を備え得る。加えて、モデムサブシステムは、ストレージ要素732とインターフェース回路733とをさらに備え得る。ストレージ要素732は、データおよびプログラムを格納するように構成される。しかしながら、上述の方法で端末によって実行される方法を実行するために使用されるプログラムは、ストレージ要素732に格納されなくてもよく、モデムサブシステムの外部のメモリに格納され、使用中にモデムサブシステムによってロードおよび使用される。インターフェース回路733は、他のサブシステムと通信するように構成される。端末に使用される上述の装置は、モデムサブシステムに配置されてもよい。モデムサブシステムは、チップを使用することにより実装され得る。チップは、少なくとも1つの処理要素とインターフェース回路とを備える。処理要素は、端末によって実行される上述の方法のいずれか1つのステップを実行するように構成され、インターフェース回路は、別の装置と通信するように構成される。
【０２５１】
1つの実施形態では、上述の方法のステップを実施する端末のユニットは、プログラムをスケジューリングする処理要素によって実施され得る。例えば、端末に使用される装置は、処理要素とストレージ要素とを備え、処理要素は、上述の方法の実施形態において端末によって実行される方法を実行するために、ストレージ要素に格納されたプログラムを呼び出す。ストレージ要素は、処理要素と同じチップ上に配置されたストレージ要素、すなわちオンチップストレージ要素であってもよい。
【０２５２】
別の実装形態では、上述の方法で端末によって実行される方法を実行するために使用されるプログラムは、処理要素とは異なるチップに配置されたストレージ要素、すなわちオフチップストレージ要素であり得る。この場合では、処理要素は、上述の方法の実施形態において端末によって実行される方法を呼び出して実行するために、オンチップストレージ要素上のオフチップストレージ要素からプログラムを呼び出すまたはロードする。
【０２５３】
さらに別の実装形態では、上述の方法のステップを実施する端末のユニットが、1つまたは複数の処理要素として構成され得る。処理要素はモデムサブシステムに配置される。本明細書の処理要素は、集積回路、例えば、1つもしくは複数の特定用途向け集積回路（application specific integrated circuit、ASIC）、または1つもしくは複数のデジタルシグナルプロセッサ（digital signal processor、DSP）、1つもしくは複数のフィールドプログラマブルゲートアレイ（field programmable gate array、FPGA）、またはこれらの集積回路の組み合わせであり得る。これらの集積回路は、チップを形成するために一緒に統合されてもよい。
【０２５４】
上述の方法のステップを実施する端末のユニットは、一緒に統合されてもよく、システムオンチップ（system−on−a−chip、SOC）の形態で実施される。SOCチップは、上述の方法を実施するように構成される。少なくとも1つの処理要素およびストレージ要素がチップに統合されてもよく、処理要素は、上述の端末によって実行される方法を実施するために、ストレージ要素に格納されたプログラムを呼び出す。あるいは、上述の端末によって実行される方法を実施するために、少なくとも1つの集積回路がチップに統合されてもよい。あるいは、上述の実装形態に関連して、いくつかのユニットの機能がプログラムを呼び出す処理要素によって実施され得、いくつかのユニットの機能が集積回路によって実施され得る。
【０２５５】
端末に使用される上述の装置は、少なくとも1つの処理要素とインターフェース回路とを備えることができ、少なくとも1つの処理要素は、上述の方法の実施形態で提供される端末によって実行される方法のいずれか1つを実行するように構成されることが理解されよう。処理要素は、ストレージ要素に格納されたプログラムが呼び出される第1の方式において、端末によって実行されるステップの一部またはすべてを実行してもよいし、プロセッサ要素のハードウェアの集積論理回路が命令と組み合わされる第2の方式において、端末によって実行されるステップの一部またはすべてを実行してもよい。当然のことながら、端末によって実行される一部またはすべてのステップは、第1の方式を第2の方式と組み合わせることによって代替的に実行されてもよい。
【０２５６】
本明細書の処理要素は、上述の説明と同じであり、汎用プロセッサ、例えば中央処理装置（central processing unit、CPU）であってもよいし、上述の方法を実施するように構成された1つまたは複数の集積回路、例えば1つもしくは複数のASIC、1つもしくは複数のマイクロプロセッサDSP、1つもしくは複数のFPGA、またはこれらの集積回路のうちの少なくとも2つの組み合わせであってもよい。
【０２５７】
ストレージ要素はメモリであってもよいし、複数のストレージ要素の総称であってもよい。
【０２５８】
本出願の実施形態で提供される方法によれば、本出願はコンピュータプログラム製品をさらに提供する。コンピュータプログラム製品はコンピュータプログラムコードを含み、コンピュータプログラムコードがコンピュータ上で実行されると、コンピュータは、上述の実施形態の方法を実行することが可能にされる。
【０２５９】
本出願の実施形態で提供される方法によれば、本出願はコンピュータ可読媒体をさらに提供する。コンピュータ可読媒体はコンピュータプログラムコードを格納し、プログラムコードがコンピュータ上で実行されると、コンピュータは、上述の実施形態の方法を実行することが可能にされる。
【０２６０】
本出願の実施形態で提供される方法によれば、本出願は、上述の端末を含むシステムをさらに提供する。
【０２６１】
上記の実施形態のすべてまたは一部が、ソフトウェア、ハードウェア、ファームウェア、またはそれらの任意の組み合わせにより実施されてもよい。ソフトウェアが実施形態を実施するために使用される場合、上述の実施形態は、コンピュータプログラム製品の形態で完全にまたは部分的に実施されてもよい。コンピュータプログラム製品は、1つまたは複数のコンピュータ命令を含む。コンピュータプログラム命令がコンピュータにロードされるか実行されると、本出願の実施形態による手順または機能がすべてまたは部分的に生成される。コンピュータは、汎用コンピュータ、専用コンピュータ、コンピュータネットワーク、または他のプログラマブル装置であり得る。コンピュータ命令は、コンピュータ可読記憶媒体に格納されてもよいし、コンピュータ可読記憶媒体から別のコンピュータ可読記憶媒体に送信されてもよい。例えば、コンピュータ命令は、有線（例えば赤外線、電波、またはマイクロ波など）の方式で、ウェブサイト、コンピュータ、サーバ、またはデータセンタから別のウェブサイト、コンピュータ、サーバ、またはデータセンタに送信されてもよい。コンピュータ記憶媒体は、コンピュータによってアクセス可能な任意の使用可能な媒体であってもよいし、1つまたは複数の使用可能な媒体を一体化するサーバまたはデータセンタなどのデータ記憶デバイスであってもよい。使用可能な媒体は、磁気媒体（例えばフロッピーディスク、ハードディスク、または磁気テープ）、光学媒体（例えばDVD）、または半導体媒体であってもよい。半導体媒体は、ソリッドステートドライブであってもよい。
【０２６２】
図9は、本出願の一実施形態によるネットワークデバイス800の概略的な構成図である。ネットワークデバイス800は、上述の実施形態におけるネットワークデバイスの動作を実施するように構成される。図8に示されるように、ネットワークデバイスは、アンテナ801と、無線周波数装置802と、ベースバンド装置803とを備える。アンテナ801は、無線周波数装置802に接続される。アップリンク方向では、無線周波数装置802は、アンテナ801を使用することにより、端末によって送信された情報を受信し、端末によって送信された情報を処理のためのベースバンド装置803に送信する。ダウンリンク方向では、ベースバンド装置803は、端末の情報を処理し、その情報を無線周波数装置802に送信する。無線周波数装置802は、端末の情報を処理し、次いでアンテナ801を使用することにより、処理された情報を端末に送信する。
【０２６３】
ベースバンド装置803は、例えば主制御CPUおよび別の集積回路を含む、1つまたは複数の処理要素8031を備え得る。加えて、ベースバンド装置803は、ストレージ要素8032とインターフェース8033とをさらに備えてもよく、ストレージ要素8032は、プログラムおよびデータを格納するように構成される。インターフェース8033は、無線周波数装置802と情報を交換するように構成される。インターフェースは、例えば、共通公衆無線インターフェース（common public radio interface、CPRI）である。ネットワークデバイスに使用される上述の装置は、ベースバンド装置803に配置され得る。例えば、ネットワークデバイスに使用される上述の装置は、ベースバンド装置803上のチップであり得る。チップは、少なくとも1つの処理要素とインターフェース回路とを備える。処理要素は、ネットワークデバイスによって実行される上述の方法のいずれか1つのステップを実行するように構成され、インターフェース回路は、別の装置と通信するように構成される。1つの実施形態では、上述の方法のステップを実施するネットワークデバイスのユニットは、プログラムをスケジューリングする処理要素によって実施され得る。例えば、ネットワークデバイスに使用される装置は、処理要素とストレージ要素とを備え、処理要素は、上述の方法実施形態においてネットワークデバイスによって実行される方法を実行するために、ストレージ要素に格納されたプログラムを呼び出す。ストレージ要素は、処理要素と同じチップ上に配置されたストレージ要素、すなわちオンチップストレージ要素であってもよいし、処理要素とは異なるチップ上に配置されたストレージ要素、すなわちオフチップストレージ要素であってもよい。
【０２６４】
別の実装形態では、上述の方法のステップを実装するネットワークデバイスのユニットが、1つまたは複数の処理要素として構成され得る。処理要素は、ベースバンド装置に配置される。本明細書の処理要素は、集積回路、例えば、1つもしくは複数のASIC、1つもしくは複数のDSP、または1つもしくは複数のFPGA、またはこれらの集積回路の組み合わせであり得る。これらの集積回路は、チップを形成するために一緒に統合されてもよい。
【０２６５】
上述の方法のステップを実施するネットワークデバイスのユニットは、一緒に統合されてもよく、システムオンチップ（system−on−a−chip、SOC）の形態で実施される。例えば、ベースバンド装置は、上述の方法で実施するように構成されたSOCチップを備える。少なくとも1つの処理要素およびストレージ要素がチップに統合されてもよく、処理要素は、ネットワークデバイスによって実行される方法を実施するために、ストレージ要素に格納されたプログラムを呼び出す。あるいは、上述のネットワークデバイスによって実行される方法を実施するために、少なくとも1つの集積回路がチップに統合されてもよい。あるいは、上述の実装形態に関連して、いくつかのユニットの機能がプログラムを呼び出す処理要素によって実施され得、いくつかのユニットの機能が集積回路によって実施され得る。
【０２６６】
ネットワークデバイスに使用される上述の装置は、少なくとも1つの処理要素とインターフェース回路とを備えることができ、少なくとも1つの処理要素は、上述の方法の実施形態で提供されるネットワークデバイスによって実行される方法のいずれか1つを実行するように構成されることが理解されよう。処理要素は、ストレージ要素に格納されたプログラムが呼び出される第1の方式において、ネットワークデバイスによって実行されるステップの一部またはすべてを実行してもよいし、プロセッサ要素のハードウェアの集積論理回路が命令と組み合わされる第2の方式において、ネットワークデバイスによって実行されるステップの一部またはすべてを実行してもよい。当然のことながら、ネットワークデバイスによって実行される一部またはすべてのステップが、第1の方式を第2の方式と組み合わせることによって代替的に実行されてもよい。
【０２６７】
本明細書の処理要素は、上述の説明と同じであり、汎用プロセッサ、例えばCPUであってもよいし、上述の方法を実施するように構成された1つまたは複数の集積回路、例えば1つもしくは複数のASIC、1つもしくは複数のマイクロプロセッサDSP、1つもしくは複数のFPGA、またはこれらの集積回路のうちの少なくとも2つの組み合わせであってもよい。
【０２６８】
ストレージ要素はメモリであってもよいし、複数のストレージ要素の総称であってもよい。
【０２６９】
当業者であれば、本明細書で開示した各実施形態において説明した例と組み合わせて、電子的ハードウェアまたはコンピュータソフトウェアと電子的ハードウェアとの組み合わせによって、ユニットおよびアルゴリズムステップが実装され得ることを承知しているはずである。機能をハードウェアで行うかソフトウェアで行うかは、技術的解決策の具体的なアプリケーションと設計制約条件とによって決まる。当業者は、それぞれの具体的な応用形態に対して説明された機能を実施するために、異なる方法を使用することができるが、こうした実施が、本出願の範囲を超えるものであると見なされるべきではない。
【０２７０】
当業者であれば、説明を簡便にする目的で、上記のシステム、装置およびユニットの詳細な動作プロセスについては、上記方法実施形態における対応するプロセスを参照することを明確に理解するはずであり、ここでは細部を繰り返し説明しない。
【０２７１】
本出願において提供されるいくつかの実施形態においては、開示のシステム、装置、および方法を他のやり方で実装することもできることを理解されたい。例えば、説明された装置実施形態は単なる例に過ぎない。例えば、ユニットの分割は単なる論理的機能分割に過ぎず、実際の実装に際しては他の分割も可能である。例えば、複数のユニットもしくはコンポーネントが組み合わされ、または統合されて別のシステムになる場合もあり、いくつかの特徴が無視されたり実行されなかったりする場合もある。加えて、表示または説明された相互結合もしくは直接結合または通信接続は、いくつかのインターフェースを使用することにより実施され得る。装置またはユニット間の間接的な結合または通信接続は、電子的、機械的、または他の形態で実施されてもよい。
【０２７２】
別々の部品として記述されたユニットは物理的に分離している場合もそうでない場合もあり、ユニットとして表示された部品は、物理的ユニットである場合もそうでない場合もあり、一箇所に位置する場合もあり、複数のネットワークユニット上に分散される場合もある。ユニットの一部またはすべてを、各実施形態の解決策の目的を達成するための実際の要件に基づいて選択することもできる。
【０２７３】
加えて、本出願の実施形態における機能ユニットは、1つの処理ユニットに統合されてもよいし、ユニットのそれぞれが物理的に単独で存在してもよいし、2つ以上のユニットが1つのユニットに統合されてもよい。
【０２７４】
機能がソフトウェア機能ユニットの形態で実現され、独立した製品として販売または使用される場合、機能は、コンピュータ可読記憶媒体に格納され得る。そうした理解に基づき、本出願の技術的解決策を本質的に、または従来技術に寄与する部分を、または技術的な解決策の一部を、ソフトウェア製品の形態で実現することができる。ソフトウェア製品は記憶媒体に格納されており、（パーソナルコンピュータ、サーバ、もしくはネットワークデバイスとすることができる）コンピュータデバイスに、本出願の各実施形態で記述されている方法のステップの全部または一部を実行するよう指示するためのいくつかの指示を含む。上記記憶媒体は、USBフラッシュドライブ、取り外し可能ハードディスク、読み取り専用メモリ（read−only memory、ROM）、ランダムアクセスメモリ（random access memory、RAM）、磁気ディスク、光ディスクといった、プログラムコードを格納することができる任意の媒体を含む。
【０２７５】
上記の説明は、単に本出願の具体的な実装形態に過ぎず、本出願の保護範囲を限定することを意図するものではない。本出願において開示された技術的範囲内にあり、当業者によって容易に想到される、あらゆる変形や置き換えは、本出願の保護範囲内に含まれるものとする。したがって、本出願の保護範囲は、特許請求の範囲の保護範囲に従うものとする。
【符号の説明】
【０２７６】
1  無線フレーム
100  通信システム
102  ネットワークデバイス
104,106,108,110,112,114  アンテナ
116,122  端末デバイス
118,124  順方向リンク
120,126  逆方向リンク
200,300,400  無線通信方法
500  通信装置
510  受信ユニット
520  構成ユニット
530  送信ユニット
600  通信装置
610  送信ユニット
620  受信ユニット
700  端末
710  アンテナ
720  無線周波数部
730  信号処理部
731  処理要素
732  ストレージ要素
733  インターフェース回路
800  ネットワークデバイス
801  アンテナ
802  無線周波数装置
803  ベースバンド装置
8031  処理要素
8032  ストレージ要素
8033  インターフェース
T1,T2  瞬間
【図１】
2021533674.tif 000003
【図２】
2021533674.tif 000004
【図３】
2021533674.tif 000005
【図４】
2021533674.tif 000006
【図５】
2021533674.tif 000007
【図６】
2021533674.tif 000008
【図７】
2021533674.tif 000009
【図８】
2021533674.tif 000010
【図９】
2021533674.tif 000011
【手続補正書】
【提出日】令和3年3月22日(2021.3.22)
【手続補正１】
【補正対象書類名】特許請求の範囲
【補正対象項目名】全文
【補正方法】変更
【補正の内容】
【特許請求の範囲】
【請求項１】
無線通信方法であって、前記方法は、端末デバイスによって実行され、
ネットワークデバイスによって送信されたタイミングアドバンスタイマTAT構成情報を受信するステップであって、前記TAT構成情報が、TATの持続時間を構成するために使用される、ステップと、
前記TAT構成情報に基づいて前記TATを構成するステップと、
前記TATの実行ステータスに基づいてアップリンクデータを非同期的に送信するステップと
を含む、無線通信方法。
【請求項２】
前記TAT構成情報が第1のTATを含み、前記第1のTATが、同期送信のためのアップリンクタイミングアドバンスの有効時間を制御するために使用される、請求項1に記載の方法。
【請求項３】
前記TATの実行ステータスに基づいてアップリンクデータを非同期的に送信する、前記ステップが、
前記第1のTATが切れたときに前記アップリンクデータを非同期的に送信するステップ
を含む、請求項1または2に記載の方法。
【請求項４】
前記TAT構成情報が、前記アップリンクデータを同期的に送信するために使用されるリソース情報をさらに含む、請求項1から3のいずれか一項に記載の方法。
【請求項５】
前記方法は、
前記端末デバイスの最大TA差が第1の閾値以上かつ第2の閾値以下である場合、セカンダリセルが配置されているTAGのTATが切れたと判定し、前記アップリンクデータを前記セカンダリセルに非同期的に送信するステップであって、前記最大TA差が、前記端末のTAGのうちの任意の2つのTA間の最大差である、ステップ、または
前記端末デバイスの最大TA差が第3の閾値よりも大きい場合、セカンダリセルが配置されているTAGのTATが切れたと判定し、前記アップリンクデータを前記セカンダリセルに非同期的に送信するステップであって、前記最大TA差が、前記端末のTAGのうちの任意の2つのTA間の最大差である、ステップ
をさらに含む、請求項1から4のいずれか一項に記載の方法。
【請求項６】
前記方法は、
前記端末デバイスがソースセルの代わりにターゲットセルを再選択した場合、前記端末上で実行されている前記第1のTATまたは前記第2のTATを停止するステップであって、前記第1のTATまたは前記第2のTATが前記ソースセルにおいて開始される、ステップ
をさらに含む、請求項1から5のいずれか一項に記載の方法。
【請求項７】
無線通信方法であって、前記方法は、ネットワークデバイスによって実行され、
タイミングアドバンスタイマTAT構成情報を端末デバイスに送信するステップであって、前記TAT構成情報が、TATの持続時間を構成するために前記端末デバイスによって使用される、ステップと、
前記TATの実行ステータスに基づいて前記端末デバイスによって送信されたアップリンクデータを受信するステップと
を含む、無線通信方法。
【請求項８】
タイミングアドバンスタイマTAT構成情報を端末デバイスに送信する、前記ステップが、
接続解放メッセージで前記TAT構成情報を前記端末デバイスに送信するステップ
を含む、請求項7に記載の方法。
【請求項９】
前記構成情報が、
第1のTATであって、前記第1のTATが、同期送信のためのアップリンクタイミングアドバンスの有効時間を制御するために使用される、第1のTAT
をさらに含む、請求項7または8に記載の方法。
【請求項１０】
前記構成情報が、前記アップリンクデータを同期的に送信するために使用される情報をさらに含む、請求項7から9のいずれか一項に記載の方法。
【請求項１１】
メモリと、
前記メモリに結合された1つまたは複数のプロセッサであって、前記1つまたは複数のプロセッサが、
ネットワークデバイスによって送信されたタイミングアドバンスタイマTAT構成情報を受信し、前記TAT構成情報がTATの持続時間を構成するために使用され、
前記TAT構成情報に基づいて前記TATを構成し、
前記TATの実行ステータスに基づいてアップリンクデータを非同期的に送信する、
ように構成される、1つまたは複数のプロセッサと
を備える、通信装置。
【請求項１２】
前記TAT構成情報が第1のTATを含み、前記第1のTATが、同期送信のためのアップリンクタイミングアドバンスの有効時間を制御するために使用される、請求項11に記載の装置。
【請求項１３】
前記TATの実行ステータスに基づいてアップリンクデータを非同期的に送信することが、
前記第1のTATが切れたときに前記アップリンクデータを非同期的に送信すること
を含む、請求項11または12に記載の装置。
【請求項１４】
前記TAT構成情報が、前記アップリンクデータを同期的に送信するために使用されるリソース情報をさらに含む、請求項11から13のいずれか一項に記載の装置。
【請求項１５】
端末デバイスの最大TA差が第1の閾値以上かつ第2の閾値以下である場合、セカンダリセルが配置されているTAGのTATが切れたと判定し、前記アップリンクデータを前記セカンダリセルに非同期的に送信することであって、前記最大TA差が、前記端末のTAGのうちの任意の2つのTA間の最大差である、こと、または
前記端末デバイスの最大TA差が第3の閾値よりも大きい場合、セカンダリセルが配置されているTAGのTATが切れたと判定し、前記アップリンクデータを前記セカンダリセルに非同期的に送信することであって、前記最大TA差が、前記端末のTAGのうちの任意の2つのTA間の最大差である、こと
をさらに含む、請求項11から14のいずれか一項に記載の装置。
【請求項１６】
前記1つまたは複数のプロセッサが、
端末デバイスがソースセルの代わりにターゲットセルを再選択した場合、前記端末上で実行されている前記第1のTATまたは前記第2のTATを停止し、前記第1のTATまたは前記第2のTATが前記ソースセルにおいて開始される、
ように構成される、請求項11から15のいずれか一項に記載の装置。
【請求項１７】
メモリと、
前記メモリに結合された1つまたは複数のプロセッサであって、前記1つまたは複数のプロセッサが、
タイミングアドバンスタイマTAT構成情報を端末デバイスに送信し、前記TAT構成情報がTATの持続時間を構成するために前記端末デバイスによって使用され、
前記TATの実行ステータスに基づいて前記端末デバイスによって送信されたアップリンクデータを受信する、
ように構成される、1つまたは複数のプロセッサと
を備える、通信装置。
【請求項１８】
タイミングアドバンスタイマTAT構成情報を端末デバイスに送信することが、
接続解放メッセージで前記TAT構成情報を前記端末デバイスに送信すること
を含む、請求項17に記載の装置。
【請求項１９】
前記構成情報が、
第1のTATであって、前記第1のTATが、同期送信のためのアップリンクタイミングアドバンスの有効時間を制御するために使用される、第1のTAT
をさらに含む、請求項17または18に記載の装置。
【請求項２０】
前記構成情報が、前記アップリンクデータを同期的に送信するために使用される情報をさらに含む、請求項17から19のいずれか一項に記載の装置。
【請求項２１】
請求項1から10のいずれか一項に記載の方法の前記ステップを実行するように構成されたユニットを備える、通信装置。
【請求項２２】
プログラムを含むコンピュータ可読記憶媒体であって、前記プログラムがプロセッサによって実行されると、請求項1から10のいずれか一項に記載の方法が実行される、コンピュータ可読記憶媒体。
【手続補正２】
【補正対象書類名】明細書
【補正対象項目名】０００１
【補正方法】削除
【補正の内容】
【手続補正３】
【補正対象書類名】明細書
【補正対象項目名】００１１
【補正方法】変更
【補正の内容】
【００１１】
第1の態様に関連して、第1の態様のいくつかの実装形態では、TAT構成情報が、システム情報ブロック（system information block、SIB）、RRC再構成メッセージ、RRC接続確立メッセージ、RRC接続再確立メッセージ、接続再開メッセージ、接続解放メッセージ、または接続中断メッセージなどのメッセージであり得る。
【手続補正４】
【補正対象書類名】明細書
【補正対象項目名】００１３
【補正方法】変更
【補正の内容】
【００１３】
第1の態様に関連して、第1の態様のいくつかの実装形態では、第1のTATが切れたときに、端末デバイスは、アップリンクデータを同期的に送信するために使用されるハイブリッド自動再送要求HARQプロセスにおけるデータおよびアップリンクデータを同期的に送信するために使用されるリソースをクリアし、初期送信または再送信のために非同期送信を有効にすることができる、または第1のTATが切れたときに、端末デバイスは、アップリンクデータを同期的に送信するために使用されるハイブリッド自動再送要求HARQプロセスにおけるデータをクリアせず、HARQプロセスにバッファリングされたデータを非同期的に送信することができる。
【手続補正５】
【補正対象書類名】明細書
【補正対象項目名】００８２
【補正方法】変更
【補正の内容】
【００８２】
本出願では、同期送信は直交多元接続と呼ばれることもある。同期送信は、データと比較的短いシーケンスコードとがデータリソース上で一緒に送信されることを意味し得る。例えば、同期送信では、第1の復調参照信号（demodulation reference signal、DMRS）とデータとが、PUSCHリソース上で一緒に送信され得る。第1のDMRSは、既存のDMRS形式であってもよいし、新しく導入されたDMRSシーケンスであってもよい。非同期送信は、非直交多元接続と呼ばれる場合もあれば、2ステップランダムアクセスチャネル（RACH）送信と呼ばれる場合もある。非同期送信は、preambleとデータとが同時に送信されることを意味する。非同期送信の例では、端末デバイスはpreambleをまず送信し、ランダムアクセス応答を受信する前にPUSCHリソース上でデータを送信する。第1のDMRSは、非同期送信でさらに送信され得る。非同期送信は、データがPUSCH上で送信され、preambleがRACHリソースまたはPUSCH上で送信されることを意味する。非同期送信中、端末デバイスは、有効なTA値がない場合にデータを送信する、すなわち、TATが切れているTAGに含まれるセルでデータを送信すると見なされ得ることがさらに理解されよう。非同期送信では、アップリンク送信のためのデータに伴って比較的長いシーケンスコードが使用される。比較的長いシーケンスコードは、ランダムアクセスpreambleまたは比較的長いDMRS、例えば、第1のpreamble、第2のDMRS、または拡散符号であり得る。第2のDMRSの形式と第1のDMRSの形式とは異なる。例えば、第2のDMRSのシーケンスは、第1のDMRSのシーケンスよりも長い。場合により、第1のpreambleおよびデータは時分割方式でデータリソース上で送信される。場合により、第1のpreambleおよびデータリソースは周波数分割方式で送信される。換言すれば、preambleを送信するための周波数領域リソースは、データを送信するための周波数領域リソースとは異なる。第1のpreambleおよびデータを送信する時間は、分離されていてもよいし、重複していてもよい。拡散符号が使用される場合、端末は拡散符号を使用することにより送信データをスクランブルし、次いでデータを非同期的に送信する。
【手続補正６】
【補正対象書類名】明細書
【補正対象項目名】００８３
【補正方法】変更
【補正の内容】
【００８３】
本出願では、ネットワークデバイスによって端末デバイスに送信されるTAT構成情報における1つまたは複数の情報は、無線リソース制御（radio resource control、RRC）シグナリング、媒体アクセス制御（media access control、MAC）シグナリング、物理層シグナリングなどを使用することにより構成され得る。
【手続補正７】
【補正対象書類名】明細書
【補正対象項目名】００８７
【補正方法】変更
【補正の内容】
【００８７】
本出願の実施形態では、端末デバイスまたはネットワークデバイスは、ハードウェア層、ハードウェア層の上で実行されるオペレーティングシステム層、およびオペレーティングシステム層の上で実行されるアプリケーション層を含む。ハードウェア層は、中央処理装置（central processing unit、CPU）、メモリ管理装置（memory management unit、MMU）、およびメモリ（メインメモリとも呼ばれる）などのハードウェアを含む。オペレーティングシステムは、プロセス（process）を使用することによりサービス処理を実施する、任意の1つまたは複数のコンピュータオペレーティングシステム、例えば、Linux(登録商標)オペレーティングシステム、Unixオペレーティングシステム、Androidオペレーティングシステム、iOSオペレーティングシステム、またはWindowsオペレーティングシステムを含み得る。アプリケーション層は、ブラウザ、アドレス帳、ワードプロセッシングソフトウェア、およびインスタントメッセージングソフトウェアなどのアプリケーションを含む。加えて、本出願の実施形態は、本出願の実施形態で提供される方法に従って通信を実装するために本出願の実施形態で提供される方法のプログラム記録コードを実行することができるという条件で、本出願の実施形態で提供される方法の実行体の特定の構造を特に限定しない。例えば、本出願の実施形態で提供される方法の実行体は、端末デバイスまたはネットワークデバイスであってもよいし、端末デバイスまたはネットワークデバイスにおいてプログラムを呼び出して実行することができる機能ユニットであってもよい。
【手続補正８】
【補正対象書類名】明細書
【補正対象項目名】００９７
【補正方法】変更
【補正の内容】
【００９７】
端末デバイスによるネットワークデバイスへのデータの送信は、アップリンク送信と通常呼ばれる。アップリンク送信の重要な特徴は、異なる端末デバイスが時間および周波数リソース上で直交多元接続（orthogonal multiple access）を実行することである、つまり、同じセル内の異なる端末デバイスのアップリンク送信が互いに干渉しないことである。
【手続補正９】
【補正対象書類名】明細書
【補正対象項目名】０１１６
【補正方法】変更
【補正の内容】
【０１１６】
TAは、セルまたはTAG内のセルに対するものであり、端末がTAを受信すると、TAコマンドに対応するTAGに関連付けられた第1のTATが開始または再開されることを理解されたい。ランダムアクセス応答におけるTAの場合、TAGは、端末デバイスがpreambleを送信するセルが配置されているTAGである。MAC命令におけるTAは、命令において指示されるTAGに対応する。
【手続補正１０】
【補正対象書類名】明細書
【補正対象項目名】０１１７
【補正方法】変更
【補正の内容】
【０１１７】
ネットワークデバイスは、2つの方式でタイミングアドバンスTAを端末デバイスに送信することを理解されたい。1つの方式では、ランダムアクセスプロセスにおいて、ネットワークデバイスは、受信されたpreambleを測定することによってtiming advance値を判定し、ランダムアクセス応答（random access response、RAR）のtiming advance commandフィールド（合計12ビット）を使用することによってタイミングアドバンス値を端末デバイスに送信する。別の方式では、無線リソース制御（radio resource control、RRC）接続モードにおいて、ネットワークデバイスは、Timing Advance Command MAC control elementまたはRRCメッセージを使用することによりタイミングアドバンスTAを端末デバイスに送信する。RRC接続モードでは、ネットワークデバイスはtiming advance情報を維持する必要がある。アップリンク同期は、ランダムアクセスプロセスで端末デバイスとネットワークデバイスとの間で実施されるが、アップリンク信号がネットワークデバイスに到着する時間は時間とともに変化し得る。高速移動中の端末デバイス、例えば運行中の高速鉄道上の端末デバイスとネットワークデバイスとの間の伝送遅延は絶えず変化する。現在の伝送経路が消え、新しい伝送経路に切り替わる。例えば、密集した都市では、人々が建物の隅に歩いてきたときにこの状況が発生する可能性がある。端末デバイスの移動によるドップラーシフトに起因して、端末デバイスの水晶発振器オフセットがあり、オフセットが長時間蓄積されるとアップリンクタイミングに誤差が生じる場合がある。したがって、端末デバイスは、アップリンク同期を維持するために、端末デバイスのアップリンクタイミングアドバンスを継続的に更新する必要がある。ネットワークデバイスは、対応する端末デバイスのアップリンク送信の測定に基づいて、各端末デバイスのtiming advance値を判定する。したがって、ネットワークデバイスは、端末デバイスがアップリンク送信を実行するという条件で、timing advance値を推定することができる。理論的には、端末デバイスによって送信される任意の信号（例えば、チャネルサウンディング参照信号（sounding reference signal、SRS）／DMRS／肯定応答フレームACK／否定応答フレームNACK／物理アップリンク共有チャネル（physical uplink shared channel、PUSCH））が、timing advanceを測定するために使用され得る。特定の端末デバイスが修正される必要がある場合、ネットワークデバイスは、端末デバイスにアップリンク送信timingを調整するように要求するために、Timing Advance Command MAC control elementを使用することによりTiming Advance Commandを端末デバイスに送信する。
【手続補正１１】
【補正対象書類名】明細書
【補正対象項目名】０１１９
【補正方法】変更
【補正の内容】
【０１１９】
場合により、TATが第1のTAT構成情報を含む場合、構成情報が、以下の情報、すなわち、
アップリンクデータを非同期的に送信するために使用されるリソース情報、アップリンクデータを非同期的に送信するために使用されるハイブリッド自動再送要求HARQプロセス情報、アップリンクデータを同期的に送信するために使用されるリソース情報、アップリンクデータを同期的に送信するために使用されるHARQプロセス情報、非同期送信のために使用されるシーケンスコード、および同期送信のためのシーケンスコード
のうちの1つまたは複数のタイプをさらに含む。
【手続補正１２】
【補正対象書類名】明細書
【補正対象項目名】０１２１
【補正方法】変更
【補正の内容】
【０１２１】
場合により、非同期送信に使用されるシーケンスコードまたはシーケンスコードの送信に使用されるリソースと、アップリンクデータを非同期的に送信するために使用されるリソースとの間に対応関係がある。この対応関係は、ネットワークデバイスにおいて構成メッセージで指示され得る。
【手続補正１３】
【補正対象書類名】明細書
【補正対象項目名】０１２２
【補正方法】変更
【補正の内容】
【０１２２】
場合により、第1のTATが切れたときに、端末デバイスは、アップリンクデータを送信するために使用されるハイブリッド自動再送要求HARQプロセスにおけるデータおよびアップリンクデータを送信するために使用されるリソースをクリアし、初期送信または再送信のために非同期方式を有効にすることができる、または第1のTATが切れたときに、端末デバイスは、アップリンクデータを送信するために使用されるハイブリッド自動再送要求HARQプロセスにおけるデータをクリアせず、HARQにバッファリングされたデータを非同期的に送信することができ、HARQプロセスが、同期送信もしくは非同期送信に使用されるすべてのHARQプロセスであり得る。場合により、非同期送信に使用されるデータリソースが構成されている場合、好ましくは、非同期送信に使用されるデータリソースはクリアされない、または換言すれば、非同期送信に使用されるデータリソースは、第1のTATが切れたときに予約される。
【手続補正１４】
【補正対象書類名】明細書
【補正対象項目名】０１２３
【補正方法】変更
【補正の内容】
【０１２３】
同期送信に使用されるHARQプロセスが構成されている場合、好ましくは、同期送信に使用されるHARQプロセスにおけるデータは、第1のTATが切れたときにクリアされることが理解されよう。
【手続補正１５】
【補正対象書類名】明細書
【補正対象項目名】０１２４
【補正方法】変更
【補正の内容】
【０１２４】
場合により、すべてのHARQプロセスが同期および非同期送信に使用され得る場合、好ましくは、第1のTATが切れたときにすべてのHARQプロセスのデータがクリアされる。
【手続補正１６】
【補正対象書類名】明細書
【補正対象項目名】０１２８
【補正方法】変更
【補正の内容】
【０１２８】
場合により、非同期送信に使用されるリソースに対応するHARQプロセスと同期送信に使用されるリソースに対応するHARQプロセスとが共有される場合、第1のTATが切れると、同期送信に使用されるリソースに対応するHARQプロセスにおけるデータがクリアされる。
【手続補正１７】
【補正対象書類名】明細書
【補正対象項目名】０１３０
【補正方法】変更
【補正の内容】
【０１３０】
場合により、本出願の別の実施形態では、TAT構成情報が第2のTATを含み、第2のTATが、非同期送信のためのアップリンクタイミングアドバンスの有効時間を制御するために使用される。
【手続補正１８】
【補正対象書類名】明細書
【補正対象項目名】０１３２
【補正方法】変更
【補正の内容】
【０１３２】
場合により、TAT構成情報が第2のTATを含む場合、ステップ240において、端末デバイスは、第2のTATが実行されているときにアップリンクデータを非同期的に送信する、または端末デバイスは、第2のTATが実行されていないか切れているとき、アップリンクデータを送信することを停止する。
【手続補正１９】
【補正対象書類名】明細書
【補正対象項目名】０１３３
【補正方法】変更
【補正の内容】
【０１３３】
場合により、TAT構成情報が第2のTATを含む場合、端末は、非同期送信を実行するか否かを判定するために、第2のTATが実行されているときに実行持続時間を閾値と比較する。例えば、物理アップリンク共有チャネル（physical uplink shared channel、PUSCH）は、第2のTATの実行持続時間が閾値以下である場合に同期的に送信される。例えば、第2のTATの実行持続時間が閾値以上である場合、PUSCHは非同期的に送信される。好ましくは、非直交多元接続送信または非同期送信をサポートする端末は、送信方式を判定するための判定を実行する。この場合では、端末デバイスは、第2のTATが実行されているときにアップリンクデータを非同期的に送信し、これにより、端末デバイスは、非同期送信方式でアップリンクデータをネットワークデバイスに送信する。
【手続補正２０】
【補正対象書類名】明細書
【補正対象項目名】０１３９
【補正方法】変更
【補正の内容】
【０１３９】
場合により、本出願のさらに別の実施形態では、TAT構成情報が第1のTATと第2のTATとを含み、第1のTATが、同期送信のためのアップリンクタイミングアドバンスの有効時間を制御するために使用され、第2のTATが、非同期送信のためのアップリンクタイミングアドバンスの有効時間を制御するために使用される。
【手続補正２１】
【補正対象書類名】明細書
【補正対象項目名】０１４１
【補正方法】変更
【補正の内容】
【０１４１】
場合により、同期送信に使用されるHARQプロセスが構成されている場合、好ましくは、同期送信に使用されるHARQプロセスのデータは、第1のTATが切れたときにクリアされる。場合により、同期送信に使用されるデータリソースが構成されている場合、好ましくは、同期送信に使用されるデータリソースは、第1のTATが切れたときにクリアされる。
【手続補正２２】
【補正対象書類名】明細書
【補正対象項目名】０１４２
【補正方法】変更
【補正の内容】
【０１４２】
場合により、すべてのHARQプロセスが同期および非同期送信に使用され得る場合、好ましくは、第1のTATが切れたときにすべてのHARQプロセスのデータがクリアされる。場合により、すべてのデータリソースが同期および非同期送信に使用され得る場合、好ましくは、第1のTATが切れたときに、データ送信のためのリソースがデータを非同期的に送信するために予約される。
【手続補正２３】
【補正対象書類名】明細書
【補正対象項目名】０１４３
【補正方法】変更
【補正の内容】
【０１４３】
場合により、非同期送信に使用されるHARQプロセスが構成されている場合、非同期送信に使用されるHARQプロセスのデータは、第2のTATが切れたときにクリアされる。
【手続補正２４】
【補正対象書類名】明細書
【補正対象項目名】０１４９
【補正方法】変更
【補正の内容】
【０１４９】
場合により、TAT構成情報が第1のTATと第2のTATとを含む場合、構成情報が、以下の情報、すなわち、
アップリンクデータを非同期的に送信するために使用されるリソース情報、アップリンクデータを非同期的に送信するために使用されるハイブリッド自動再送要求HARQプロセス情報、アップリンクデータを同期的に送信するために使用されるリソース情報、アップリンクデータを同期的に送信するために使用されるHARQプロセス情報、非同期送信のためのpreambleコード、およびpreambleを送信するために使用される時間−周波数リソース
のうちの1つまたは複数のタイプをさらに含む。
【手続補正２５】
【補正対象書類名】明細書
【補正対象項目名】０１５４
【補正方法】変更
【補正の内容】
【０１５４】
端末デバイスは、異なるタイミングアドバンスグループに配置され得ることを理解されたい。タイミングアドバンスグループ（Timing Advance Group、TAG）は、アップリンクリソースで構成されたサービングセルのグループであり、サービングセルは、同じタイミング参照セルおよび同じタイミングアドバンス値TAを使用する。特殊セル（Special Cell、SpCell）を含むTAGはプライマリTAGと呼ばれ、非Spcellセルを含むTAGはセカンダリTAGと呼ばれる。プライマリTAGは、プライマリセル（Primary Cell、PCell）またはプライマリセカンダリセル（Primary Secondary cell、PSCell）を含む。
【手続補正２６】
【補正対象書類名】明細書
【補正対象項目名】０１５９
【補正方法】変更
【補正の内容】
【０１５９】
場合により、TAT構成情報が第1のTATと第2のTATとを含む場合、端末デバイスがネットワークデバイスによって送信されたタイミングアドバンスTAを受信すると、TAに対応するTAGに関連付けられた第1のTATおよび第2のTATが開始または再開される、または換言すれば、第1のTATおよび第2のTATが同時に実行され始める。端末デバイスは、第1のTATが実行されているときにアップリンクデータを同期的に送信する、または端末デバイスは、第1のTATが実行されておらず、第2のTATが実行されているときに、アップリンクデータを非同期的に送信する、または端末デバイスは、第1のTATも第2のTATも実行されていない場合、アップリンクデータを送信することを停止する。
【手続補正２７】
【補正対象書類名】明細書
【補正対象項目名】０１６９
【補正方法】変更
【補正の内容】
【０１６９】
TA差は、端末デバイスの2つのTAGのアップリンク送信タイミング差であることが理解されよう。図3に示されるように、図3に示されるTA値NTAは、TAGにおけるセルのアップリンクフレームとダウンリンクフレームとの間のタイミング差を表す。NTAは、端末デバイスによって維持されたTAGのTA値であり、Offsetは、ネットワークデバイスによって送信されたTAコマンドによって指示されるタイミング調整オフセットであり、Tcは、時間単位、例えばマイクロ秒である。
【手続補正２８】
【補正対象書類名】明細書
【補正対象項目名】０１７６
【補正方法】変更
【補正の内容】
【０１７６】
場合により、ネットワークデバイスは、セルもしくはRNA無線ネットワークエリア識別子、または第1のTATおよび第2のTATに適用可能な追跡エリア識別子を指示する。ネットワークデバイスは、セルまたはRNAのために構成されたTAT持続時間を交換することができる。ターゲットセルを再選択した後、端末デバイスは、ターゲットセルと前回TAコマンドを受信したソースセルとが同じTATに属しているか否かを判定する。ターゲットセルと前回TAコマンドを受信したソースセルとが同じTATに属している場合、第1のTATまたは第2のTATが引き続き実行される。ターゲットセルと前回TAコマンドを受信したソースセルとが同じTATに属していない場合、第1のTATまたは第2のTATは停止される。
【手続補正２９】
【補正対象書類名】明細書
【補正対象項目名】０１８６
【補正方法】変更
【補正の内容】
【０１８６】
非接続モードの端末の場合、ネットワークで同期送信と非同期送信とのどちらを使用するかが明示的に指示されていない場合、端末は端末の能力に基づいて非同期送信をサポートし、端末によって使用される第2のTATが切れていない場合は非同期的にデータを送信する。
【手続補正３０】
【補正対象書類名】明細書
【補正対象項目名】０２２１
【補正方法】変更
【補正の内容】
【０２２１】
具体的には、ネットワークデバイスによって送信されるハンドオーバコマンド、接続再構成メッセージ、接続解放メッセージ、接続再開メッセージ、接続再確立メッセージ、PDCP制御シグナリング、MACシグナリング、または物理層シグナリングなどのメッセージは指示情報を含むことができ、指示情報は、端末デバイスによってアップリンクデータを送信する方式を指示するために使用される。端末デバイスは、受信された指示情報に従って、アップリンクデータを送信する方式を判定する。
【手続補正３１】
【補正対象書類名】明細書
【補正対象項目名】０２３９
【補正方法】変更
【補正の内容】
【０２３９】
本出願の一実施形態は、上述の方法のいずれか1つを実施するための装置をさらに提供する。例えば、上述の方法のいずれか1つにおける端末デバイスによって実行されるステップを実施するように構成されたユニット（または手段）を備える通信装置500が提供される。
【国際調査報告】
2021533674.tif 000012
2021533674.tif 000013
2021533674.tif 000014
2021533674.tif 000015